(57)【特許請求の範囲】
【請求項１】
第１のネットワークと、前記第１のネットワークの通信エリア内に含まれ前記第１のネットワークと通信プロトコルが異なる第２のネットワークとを有するネットワーク環境において、前記第１のネットワークの基地局と前記第２のネットワークの基地局との間で端末装置のハンドオーバーが行われる通信システムであって、
前記第１のネットワークの基地局は、
前記第２のネットワークの通信エリア内へ移動した前記端末装置について、前記第２のネットワークの基地局へのハンドオーバーの制御を行うハンドーオーバー制御手段を備え、
前記端末装置は、
前記第２のネットワークの基地局へのハンドオーバーに応じて、前記第２のネットワークにおける通信品質に関する通信品質情報を取得する情報取得手段と、
前記通信品質情報を、前記第２のネットワークの基地局へのハンドオーバーの制御のために、前記第１のネットワークと前記第２のネットワークとの間に設けられたインターフェースを介して、前記第２のネットワークの基地局を経由して前記第１のネットワークの基地局へ送信する情報送信手段とを備えたことを特徴とする通信システム。
【請求項２】
前記端末装置は、前記通信品質情報を送信するか否かの基準となる送信条件を設定する送信条件設定手段を備えたことを特徴とする請求項１に記載の通信システム。
【請求項３】
前記第１のネットワークの基地局または前記第２のネットワークの基地局は、前記端末装置との通信を開始するとき、または、前記第２のネットワークの基地局へのハンドオーバーを行うときに、前記送信条件に関する送信条件情報を前記端末装置へ送信する条件送信手段を備え、
前記送信条件設定手段は、前記第１のネットワークの基地局から受信した前記送信条件情報に基づいて、前記送信条件の設定を行うことを特徴とする請求項２に記載の通信システム。
【請求項４】
前記端末装置から送信された前記通信品質情報に基づいて、前記ハンドオーバー制御手段は、前記第２のネットワークの基地局へのハンドオーバーを行った前記端末装置について、前記第１のネットワークの基地局へ戻すハンドオーバーを行うことを特徴とする請求項１ないし請求項３のいずれかに記載の通信システム。
【請求項５】
前記端末装置から送信された前記通信品質情報に基づいて、前記ハンドオーバー制御手段は、前記第２のネットワークの基地局へのハンドオーバーを抑制または停止することを特徴とする請求項１ないし請求項４のいずれかに記載の通信システム。
【請求項６】
第１のネットワークと、前記第１のネットワークの通信エリア内に含まれ前記第１のネットワークと通信プロトコルが異なる第２のネットワークとを有するネットワーク環境において、前記第１のネットワークの基地局と前記第２のネットワークの基地局との間でハンドオーバーが行われる端末装置であって、
前記第２のネットワークの基地局へのハンドオーバーに応じて、前記第２のネットワークにおける通信品質に関する通信品質情報を取得する情報取得手段と、
前記通信品質情報を、前記第２のネットワークの基地局へのハンドオーバーの制御のために、前記第１のネットワークと前記第２のネットワークとの間に設けられたインターフェースを介して、前記第２のネットワークの基地局を経由して前記第１のネットワークの基地局へ送信する情報送信手段と、
を備えたことを特徴とする端末装置。
【請求項７】
第１のネットワークと、前記第１のネットワークの通信エリア内に含まれ前記第１のネットワークと通信プロトコルが異なる第２のネットワークとを有するネットワーク環境において、前記第１のネットワークに設けられた基地局であって、
前記第２のネットワークの通信エリア内へ移動した前記端末装置について、前記第２のネットワークの基地局へのハンドオーバーの制御を行うハンドオーバー制御手段と、
前記第２のネットワークの基地局へのハンドオーバーの制御のために、前記端末装置から送信された前記第２のネットワークにおける通信品質に関する通信品質情報を、前記第２のネットワークとの間に設けられたインターフェースを介して、前記第２のネットワークの基地局を経由して受信する情報受信手段と、
を備えたことを特徴とする基地局。
【請求項８】
第１のネットワークと、前記第１のネットワークの通信エリア内に含まれ前記第１のネットワークと通信プロトコルが異なる第２のネットワークとを有するネットワーク環境において、前記第１のネットワークの基地局と前記第２のネットワークの基地局との間で端末装置のハンドオーバーが行われたときの通信品質を管理する方法であって、
前記第２のネットワークの基地局へのハンドオーバーに応じて、前記第２のネットワークにおける通信品質に関する通信品質情報を取得し、
前記通信品質情報を、前記第２のネットワークの基地局へのハンドオーバーの制御のために、前記第１のネットワークと前記第２のネットワークとの間に設けられたインターフェースを介して、前記第２のネットワークの基地局を経由して前記第１のネットワークの基地局へ送信することを特徴とする通信品質管理方法。
【請求項９】
第１のネットワークと、前記第１のネットワークの通信エリア内に含まれ前記第１のネットワークと通信プロトコルが異なる第２のネットワークとを有するネットワーク環境において、前記第１のネットワークの基地局と前記第２のネットワークの基地局との間で端末装置のハンドオーバーが行われたときの通信品質を管理するためのプログラムであって、
コンピュータに、
前記第２のネットワークの基地局へのハンドオーバーに応じて、前記第２のネットワークにおける通信品質に関する通信品質情報を取得する処理と、
前記通信品質情報を、前記第２のネットワークの基地局へのハンドオーバーの制御のために、前記第１のネットワークと前記第２のネットワークとの間に設けられたインターフェースを介して、前記第２のネットワークの基地局を経由して前記第１のネットワークの基地局へ送信する処理と、
を実行させることを特徴とするプログラム。
【発明の詳細な説明】
【技術分野】
【０００１】
本発明は、通信プロトコルが異なるネットワーク間でハンドオーバーが行われたときに通信品質が低下するのを抑える機能を備えた通信システムに関するものである。
【背景技術】
【０００２】
３ＧＰＰで標準化が行われているＬＴＥ（Long Term Evolution）／ＳＡＥ（System Architecture Evolution）における一つの大きな目的は、複数のＲＡＴ（Radio access technology）に対応することである（非特許文献１、２参照）。このＲＡＴには、ＵＴＲＡＮ、ＧＥＲＡＮ、Ｅ−ＵＴＲＡＮ、ＷＬＡＮ  ３ＧＰＰアクセスシステム、Ｎｏｎ−３ＧＰＰアクセスシステム等が含まれており、それぞれのネットワークでは種々の通信プロトコルが使用されている。複数のＲＡＴは、それぞれ異なる特性（カバレッジ、伝送レート、導入・運用コスト等）を有している。
【非特許文献１】３ＧＰＰ  ＴＲ２３．８８２  Ｖ１．１２．０、“3GPP system architecture evolution (SAE): Report on technical options and conclusions”
【非特許文献２】３ＧＰＰ  ＴＳ３６．３００  Ｖ８．２．０、“Evolved Universal Terrestrial Radio Access (E-UTRA) and Evolved Universal Terrestrial Radio Access (E-UTRAN); Overall description; Stage 2”
【０００３】
図１１は、複数のＲＡＴのカバレッジの一例を示す図である。図１１に示すように、各ＲＡＴは、それぞれ異なる広さのカバレッジを有している。例えば、欧米などで古くから使われているセルラーシステムであるＧＳＭ（Global System for Mobile）／ＧＰＲＳ（General Packet Radio Service）や、日本などを中心に新たに使われているＵＭＴＳ（Universal Mobile Telecommunications System）をサポートしているＧＰＲＳネットワークのカバレッジは広い。これに比べると、新たに導入されたEvolvedネットワークのカバレ
ッジは狭く、ホットスポット等に使われるＷＬＡＮのカバレッジは更に狭い。
【０００４】
また、伝送レートもＲＡＴごとに異なっており、ＷＬＡＮ＞Ｅ−ＵＴＲＡＮ（Evolved UMTS Radio Access Network）＞ＵＴＲＡＮ（UMTS Radio Access Network）の順である。Ｅ−ＵＴＲＡＮは、Evolved ネットワークでのネットワーク側の無線装置（基地局も含まれる）の総称である。また、ＵＴＲＡＮは、ＧＰＲＳネットワークでのＵＭＴＳのネットワーク側の無線装置（基地局やＲＮＣ（Radio Network Controller）が含まれる）の総称である。
【０００５】
このようなＲＡＴごとに異なる特性を有効に利用するために、複数のＲＡＴに対応する技術が必要となる。複数のＲＡＴに対応することにより、例えば、端末装置が高速で移動する場合にはカバレッジの広いＧＰＲＳネットワークのＵＴＲＡＮを用い、端末装置の移動速度は低いが高速通信を必要とする場合には、ＷＬＡＮを用いるなどの選択が可能となる。
【０００６】
端末装置が異なるＲＡＴ間を移動する場合には、端末装置が接続する基地局を切り替えるハンドオーバーが行われる。従来、異なる無線通信方式間でハンドオーバーを行う技術として、例えばＭＴ−ＴＡインターフェース仕様を採用する通信システムが知られている（特許文献１参照）。また、端末装置が基地局と通信を行っている状態で異なるＲＡＴ間の移動を行う動作は、Ｉｎｔｅｒ−ＲＡＴハンドオーバーと呼ばれている。従来、例えば３ＧＰＰ２からモバイルＷｉＭＡＸへ移動するときにＩｎｔｅｒ−ＲＡＴハンドオーバーを行うシステムが提案されている（非特許文献３参照）。また、従来、ＷＬＡＮのアクセスポイントを介して３ＧＰＰネットワークにアクセスし、３ＧＰＰネットワークで提供されているサービスを受けるシステムが知られている（特許文献２参照）。
【特許文献１】特開２００５−３２８４１２号公報
【特許文献２】特開２００７−５２１６９１号公報
【非特許文献３】３ＧＰＰ  ＴＲ３６．９３８  Ｖ１．０．０、“Improved NetworkControlled Mobility between E-UTRAN and 3GPP2/Mobile WiMAX Radio Technologies”
【発明の開示】
【発明が解決しようとする課題】
【０００７】
しかしながら、従来のシステムにおいては、端末装置が移動する異なるＲＡＴ間で同じＱｏＳ（Quality of Service、サービス品質）システムが採用されているとは限らない。例えば、３ＧＰＰネットワークではないネットワーク（Ｎｏｎ−３ＧＰＰネットワークという）では、３ＧＰＰネットワークと異なるＱｏＳシステムが提供されている場合がある。この場合、仮に３ＧＰＰネットワークとＮｏｎ−３ＧＰＰネットワークの間のローミング契約によってＱｏＳのサポートが行われていたとしても、ＱｏＳのシステムの違いなどにより、その二つのネットワークで完全に同じＱｏＳがサポートされるとは限らない。
【０００８】
また、３ＧＰＰネットワークを管理しているオペレーターと、Ｎｏｎ−３ＧＰＰネットワークを管理しているオペレーターが異なる場合がある。例えば、３ＧＰＰネットワークのオペレーターが携帯電話会社であり、Ｎｏｎ−３ＧＰＰネットワークのオペレーターがインターネットプロバイダーである場合などである。この場合、Ｎｏｎ−３ＧＰＰネットワークでの制御は、３ＧＰＰネットワークのオペレーターではなくＮｏｎ−３ＧＰＰネットワークのインターネットプロバイダーによって行われる。したがって、３ＧＰＰネットワークからＮｏｎ−３ＧＰＰネットワークへハンドオーバーが行われた後は、３ＧＰＰネットワーク（移動元のネットワーク）を管理しているオペレーターが、Ｎｏｎ−３ＧＰＰネットワーク（移動先のネットワーク）のＱｏＳを直接的に管理することができない。
【０００９】
また、従来のシステムでは、３ＧＰＰネットワークからＮｏｎ−３ＧＰＰネットワークへハンドオーバーが行われると、端末装置がアクセスする基地局が切り替えられる。つまり、３ＧＰＰネットワークの基地局から端末装置へ直接アクセスすることができなくなる。したがって、３ＧＰＰネットワーク（移動元のネットワーク）が、Ｎｏｎ−３ＧＰＰネットワーク（移動先のネットワーク）のＱｏＳの状況を端末に直接測定指示を行ったり、報告を受けることにより把握することができない。
【００１０】
このような従来のシステムでは、端末装置が３ＧＰＰネットワークからＮｏｎ−３ＧＰＰネットワークに移動した場合に、移動先のネットワークでサービス品質（ＱｏＳ）が低下してしまうことがある。例えば、移動先のネットワーク（Ｎｏｎ−３ＧＰＰネットワーク）でのＱｏＳを事前に移動先のネットワークと調整した場合であっても、完全に同じＱｏＳがサポートされていないため、実際にハンドオーバーを行ってみると移動先のネットワークのサービス品質（ＱｏＳ）が低いことがある。
【００１１】
このような場合、従来のシステムでは、移動先のネットワーク（Ｎｏｎ−３ＧＰＰネットワーク）のＱｏＳの状況を移動元のネットワーク（３ＧＰＰネットワーク）で把握することができないので、ＱｏＳの低いネットワークへ次々と端末装置のハンドオーバーを行ってしまうことがあるという問題があった。その結果、一つの端末装置だけでなく、複数の端末装置に対してＱｏＳ低下の影響を与えるおそれがあるという問題があった。
【００１２】
本発明は、上記従来の問題を解決するためになされたもので、通信プロトコルが異なるネットワーク間でハンドオーバーが行われたときに通信品質が低下するのを抑えることのできる通信システムを提供することを目的とする。
【課題を解決するための手段】
【００１３】
本発明の通信システムは、第１のネットワークと、前記第１のネットワークの通信エリア内に含まれ前記第１のネットワークと通信プロトコルが異なる第２のネットワークとを有するネットワーク環境において、前記第１のネットワークの基地局と前記第２のネットワークの基地局との間で端末装置のハンドオーバーが行われる通信システムであって、前記第１のネットワークの基地局は、前記第２のネットワークの通信エリア内へ移動した前記端末装置について、前記第２のネットワークの基地局へのハンドオーバーの制御を行うハンドーオーバー制御手段を備え、前記端末装置は、前記第２のネットワークの基地局へのハンドオーバーに応じて、前記第２のネットワークにおける通信品質に関する通信品質情報を取得する情報取得手段と、前記通信品質情報を、前記第２のネットワークの基地局へのハンドオーバーの制御のために、前記第１のネットワークと前記第２のネットワークとの間に設けられたインターフェースを介して、前記第２のネットワークの基地局を経由して前記第１のネットワークの基地局へ送信する情報送信手段とを備えた構成を有している。
【００１４】
この構成により、第１のネットワークから第２のネットワークへのハンドオーバーが行われて基地局が切り替えられた後であっても、第１のネットワークと第２のネットワーク間のインターフェースを介して、第２のネットワーク（移動先のネットワーク）の通信品質情報が、第２のネットワークの基地局を経由して第１のネットワーク（移動元のネットワーク）の基地局へ送信される。これにより、第１のネットワーク（移動元のネットワーク）が、第２のネットワーク（移動先のネットワーク）の通信品質の状況を把握することができる。そして、第１のネットワーク（移動元のネットワーク）は、第２のネットワーク（移動先のネットワーク）の通信品質の状況を考慮して、第２のネットワークへのハンドオーバーを適切に制御することができる。これにより、通信品質が低下するのを抑えるようなハンドオーバーの制御が行われる。例えば、第２のネットワーク（移動先のネットワーク）のＱｏＳが低い場合には、ＱｏＳが低い第２のネットワークへのハンドオーバーを抑制または停止する。また、ＱｏＳが低い第２のネットワークへハンドオーバーされた端末装置を、第１のネットワーク（移動元のネットワーク）へ戻すようにハンドオーバーの制御が行われる。
【００１５】
また、本発明の通信システムでは、前記端末装置は、前記通信品質情報を送信するか否かの基準となる送信条件を設定する送信条件設定手段を備えた構成を有している。
【００１６】
この構成により、設定された送信条件を基準として、通信品質情報を送信するか否かが決定される。この送信条件には、例えば、第２のネットワーク（移動先のネットワーク）のＱｏＳが所定の閾値以下であること等が含まれる。この場合には、第２のネットワーク（移動先のネットワーク）のＱｏＳが所定の閾値以下である場合に、通信品質情報が送信される。これにより、通信品質情報の送信が適切に行われる。
【００１７】
また、本発明の通信システムでは、前記第１のネットワークの基地局または前記第２のネットワークの基地局は、前記端末装置との通信を開始するとき、または、前記第２のネットワークの基地局へのハンドオーバーを行うときに、前記送信条件に関する送信条件情報を前記端末装置へ送信する条件送信手段を備え、前記送信条件設定手段は、前記第１のネットワークの基地局から受信した前記送信条件情報に基づいて、前記送信条件の設定を行う構成を有している。
【００１８】
この構成により、端末装置の通信の開始時またはハンドオーバー時に、第１または第２のネットワークの基地局から端末装置へ送信条件が送られ、適切なタイミングで送信条件の設定が行われる。
【００１９】
また、本発明の通信システムでは、前記端末装置から送信された前記通信品質情報に基づいて、前記ハンドオーバー制御手段は、前記第２のネットワークの基地局へのハンドオーバーを行った前記端末装置について、前記第１のネットワークの基地局へ戻すハンドオーバーを行う構成を有している。
【００２０】
この構成により、通信品質が低下するのを抑えるようなハンドオーバーの制御が行われる。例えば、ＱｏＳが低い第２のネットワークへハンドオーバーされた端末装置を、第１のネットワーク（移動元のネットワーク）へ戻すようにハンドオーバーの制御が行われる。つまり、端末装置が第２のネットワークの通信エリア内に入っても、その第２のネットワークのＱｏＳが低い場合には、第１のネットワークへ戻すハンドオーバーが行われる。
【００２１】
また、本発明の通信システムでは、前記端末装置から送信された前記通信品質情報に基づいて、前記ハンドオーバー制御手段は、前記第２のネットワークの基地局へのハンドオーバーを抑制または停止する構成を有している。
【００２２】
この構成により、通信品質が低下するのを抑えるようなハンドオーバーの制御が行われる。例えば、第２のネットワーク（移動先のネットワーク）のＱｏＳが低い場合には、ＱｏＳが低い第２のネットワークへのハンドオーバーを抑制または停止する。つまり、端末装置が第２のネットワークの通信エリア内へ移動しても、その第２のネットワークのＱｏＳが低い場合には、第２のネットワークへのハンドオーバーを行わないようにする。
【００２３】
本発明の端末装置は、第１のネットワークと、前記第１のネットワークの通信エリア内に含まれ前記第１のネットワークと通信プロトコルが異なる第２のネットワークとを有するネットワーク環境において、前記第１のネットワークの基地局と前記第２のネットワークの基地局との間でハンドオーバーが行われる端末装置であって、前記第２のネットワークの基地局へのハンドオーバーに応じて、前記第２のネットワークにおける通信品質に関する通信品質情報を取得する情報取得手段と、前記通信品質情報を、前記第２のネットワークの基地局へのハンドオーバーの制御のために、前記第１のネットワークと前記第２のネットワークとの間に設けられたインターフェースを介して、前記第２のネットワークの基地局を経由して前記第１のネットワークの基地局へ送信する情報送信手段と、を備えた構成を有している。
【００２４】
この構成によれば、上記の通信システムと同様、第１のネットワークから第２のネットワークへのハンドオーバーが行われて基地局が切り替えられた後であっても、第１のネットワークと第２のネットワーク間のインターフェースを介して、第２のネットワーク（移動先のネットワーク）の通信品質情報が、第２のネットワークの基地局を経由して第１のネットワーク（移動元のネットワーク）の基地局へ送信される。これにより、第１のネットワーク（移動元のネットワーク）が、第２のネットワーク（移動先のネットワーク）の通信品質の状況を把握することができる。そして、第１のネットワーク（移動元のネットワーク）は、第２のネットワーク（移動先のネットワーク）の通信品質の状況を考慮して、第２のネットワークへのハンドオーバーを適切に制御することができる。これにより、通信品質が低下するのを抑えるようなハンドオーバーの制御が行われる。
【００２５】
本発明の基地局は、第１のネットワークと、前記第１のネットワークの通信エリア内に含まれ前記第１のネットワークと通信プロトコルが異なる第２のネットワークとを有するネットワーク環境において、前記第１のネットワークに設けられた基地局であって、前記第２のネットワークの通信エリア内へ移動した前記端末装置について、前記第２のネットワークの基地局へのハンドオーバーの制御を行うハンドーオーバー制御手段と、前記第２のネットワークの基地局へのハンドオーバーの制御のために、前記端末装置から送信された前記第２のネットワークにおける通信品質に関する通信品質情報を、前記第２のネットワークとの間に設けられたインターフェースを介して、前記第２のネットワークの基地局を経由して受信する情報受信手段と、を備えた構成を有している。
【００２６】
この構成によれば、上記の通信システムと同様、第１のネットワークから第２のネットワークへのハンドオーバーが行われて基地局が切り替えられた後であっても、第１のネットワークと第２のネットワーク間のインターフェースを介して、第２のネットワーク（移動先のネットワーク）の通信品質情報が、第２のネットワークの基地局を経由して第１のネットワーク（移動元のネットワーク）の基地局へ送信される。これにより、第１のネットワーク（移動元のネットワーク）が、第２のネットワーク（移動先のネットワーク）の通信品質の状況を把握することができる。そして、第１のネットワーク（移動元のネットワーク）は、第２のネットワーク（移動先のネットワーク）の通信品質の状況を考慮して、第２のネットワークへのハンドオーバーを適切に制御することができる。これにより、通信品質が低下するのを抑えるようなハンドオーバーの制御が行われる。
【００２７】
本発明の通信品質管理方法は、第１のネットワークと、前記第１のネットワークの通信エリア内に含まれ前記第１のネットワークと通信プロトコルが異なる第２のネットワークとを有するネットワーク環境において、前記第１のネットワークの基地局と前記第２のネットワークの基地局との間で端末装置のハンドオーバーが行われたときの通信品質を管理する方法であって、前記第２のネットワークの基地局へのハンドオーバーに応じて、前記第２のネットワークにおける通信品質に関する通信品質情報を取得し、前記通信品質情報を、前記第２のネットワークの基地局へのハンドオーバーの制御のために、前記第１のネットワークと前記第２のネットワークとの間に設けられたインターフェースを介して、前記第２のネットワークの基地局を経由して前記第１のネットワークの基地局へ送信する。
【００２８】
この方法によっても、上記の通信システムと同様、第１のネットワークから第２のネットワークへのハンドオーバーが行われて基地局が切り替えられた後であっても、第１のネットワークと第２のネットワーク間のインターフェースを介して、第２のネットワーク（移動先のネットワーク）の通信品質情報が、第２のネットワークの基地局を経由して第１のネットワーク（移動元のネットワーク）の基地局へ送信される。これにより、第１のネットワーク（移動元のネットワーク）が、第２のネットワーク（移動先のネットワーク）の通信品質の状況を把握することができる。そして、第１のネットワーク（移動元のネットワーク）は、第２のネットワーク（移動先のネットワーク）の通信品質の状況を考慮して、第２のネットワークへのハンドオーバーを適切に制御することができる。これにより、通信品質が低下するのを抑えるようなハンドオーバーの制御が行われる。
【００２９】
本発明のプログラムは、第１のネットワークと、前記第１のネットワークの通信エリア内に含まれ前記第１のネットワークと通信プロトコルが異なる第２のネットワークとを有するネットワーク環境において、前記第１のネットワークの基地局と前記第２のネットワークの基地局との間で端末装置のハンドオーバーが行われたときの通信品質を管理するためのプログラムであって、コンピュータに、前記第２のネットワークの基地局へのハンドオーバーに応じて、前記第２のネットワークにおける通信品質に関する通信品質情報を取得する処理と、前記通信品質情報を、前記第２のネットワークの基地局へのハンドオーバーの制御のために、前記第１のネットワークと前記第２のネットワークとの間に設けられたインターフェースを介して、前記第２のネットワークの基地局を経由して前記第１のネットワークの基地局へ送信する処理と、を実行させる構成を有している。
【００３０】
このプログラムによっても、上記の通信システムと同様、第１のネットワークから第２のネットワークへのハンドオーバーが行われて基地局が切り替えられた後であっても、第１のネットワークと第２のネットワーク間のインターフェースを介して、第２のネットワーク（移動先のネットワーク）の通信品質情報が、第２のネットワークの基地局を経由して第１のネットワーク（移動元のネットワーク）の基地局へ送信される。これにより、第１のネットワーク（移動元のネットワーク）が、第２のネットワーク（移動先のネットワーク）の通信品質の状況を把握することができる。そして、第１のネットワーク（移動元のネットワーク）は、第２のネットワーク（移動先のネットワーク）の通信品質の状況を考慮して、第２のネットワークへのハンドオーバーを適切に制御することができる。これにより、通信品質が低下するのを抑えるようなハンドオーバーの制御が行われる。
【００３１】
本発明の端末装置は、第１のネットワークから第２のネットワークへのセル選択がネットワークごとに設定された優先度に基づいて行われるネットワーク環境において、前記第１のネットワークにおけるアイドル状態での制御が行われる端末装置であって、前記第１のネットワークからのセル選択の基準を示す情報であって前記優先度の情報を含むセル選択基準情報を、前記第１のネットワークの基地局から受信する受信手段と、前記セル選択基準情報に基づいてセル選択を試行した結果に基づいて、前記第１のネットワークからのセル選択の妥当性の判定を行う判定手段と、前記セル選択の妥当性の判定結果を報告する報告メッセージを、前記第１のネットワークの基地局に送信する送信手段と、を備えた構成を有している。
【００３２】
この構成により、第１のネットワークの基地局は、端末装置から送信される報告メッセージによって、第１のネットワークにおけるセル選択基準情報（優先度など）の妥当性を把握することができる。これにより、第１のネットワークにおけるセル選択基準情報（優先度など）の妥当性を考慮した適切な通信制御が可能になる。
【００３３】
また、本発明の通信システムは、第１のネットワークから第２のネットワークへのセル選択がネットワークごとに設定された優先度に基づいて行われるネットワーク環境において、前記第１のネットワークにおけるアイドル状態の端末装置と前記第１のネットワークの基地局との間で通信制御が行われる通信システムであって、前記第１のネットワークの基地局は、前記セル選択に関する情報を前記端末装置との間で送受信する送受信手段を備え、前記端末装置は、前記第１のネットワークからのセル選択の基準を示す情報であって前記優先度の情報を含むセル選択基準情報を、前記第１のネットワークの基地局から受信する受信手段と、前記セル選択基準情報に基づいてセル選択を試行した結果に基づいて、前記第１のネットワークからのセル選択の妥当性の判定を行う判定手段と、前記セル選択の妥当性の判定結果を報告する報告メッセージを、前記第１のネットワークの基地局に送信する送信手段と、を備えた構成を有している。
【００３４】
この構成によっても、上記と同様に、第１のネットワークの基地局は、端末装置から送信される報告メッセージによって、第１のネットワークにおけるセル選択基準情報（優先度など）の妥当性を把握することができる。これにより、第１のネットワークにおけるセル選択基準情報（優先度など）の妥当性を考慮した適切な通信制御が可能になる。
【００３５】
本発明の端末装置は、第１のネットワークから第２のネットワークへのセル選択がネットワークごとに設定された優先度に基づいて行われるネットワーク環境において、前記第２のネットワークへのセル選択後における制御が行われる端末装置であって、前記第２のネットワークからのセル選択の基準を示す情報であって前記優先度の情報を含むセル選択基準情報を、前記第２のネットワークの基地局から受信する受信手段と、前記セル選択基準情報に基づいて、前記第２のネットワークへのセル選択の妥当性の判定を行う判定手段と、前記セル選択の妥当性の判定結果を報告する報告メッセージを、前記第１のネットワークの基地局に送信する送信手段と、を備えた構成を有している。
【００３６】
この構成により、第１のネットワークの基地局は、端末装置から送信される報告メッセージによって、第２のネットワークにおけるセル選択基準情報（優先度など）の妥当性を把握することができる。これにより、第１のネットワークの基地局において、第２のネットワークにおけるセル選択基準情報（優先度など）の妥当性を考慮した適切な通信制御が可能になる。
【００３７】
また、本発明の通信システムは、第１のネットワークから第２のネットワークへのセル選択がネットワークごとに設定された優先度に基づいて行われるネットワーク環境において、前記第２のネットワークへのセル選択後における端末装置と前記第１のネットワークの基地局との間で通信制御が行われる通信システムであって、前記第１のネットワークの基地局および前記第２のネットワークの基地局は、前記セル選択に関する情報を前記端末装置との間で送受信する送受信手段を備え、前記端末装置は、前記第２のネットワークからのセル選択の基準を示す情報であって前記優先度の情報を含むセル選択基準情報を、前記第２のネットワークの基地局から受信する受信手段と、前記セル選択基準情報に基づいて、前記第２のネットワークへのセル選択の妥当性の判定を行う判定手段と、前記セル選択の妥当性の判定結果を報告する報告メッセージを、前記第１のネットワークの基地局に送信する送信手段と、を備えた構成を有している。
【００３８】
この構成によっても、上記と同様に、第１のネットワークの基地局は、端末装置から送信される報告メッセージによって、第２のネットワークにおけるセル選択基準情報（優先度など）の妥当性を把握することができる。これにより、第１のネットワークの基地局において、第２のネットワークにおけるセル選択基準情報（優先度など）の妥当性を考慮した適切な通信制御が可能になる。
【００３９】
本発明の端末装置は、第１のネットワークから第２のネットワークへのセル選択がネットワークごとに設定された優先度に基づいて行われるネットワーク環境において、前記第１のネットワークから前記第２のネットワークへの一時的なセル選択後の制御が行われる端末装置であって、前記第１のネットワークからの一時的なセル選択の基準を示す情報であって期限付きの前記優先度の情報を含むセル選択基準情報を、前記第１のネットワークの基地局から受信する受信手段と、前記セル選択基準情報に基づいて、前記一時的なセル選択の期限が経過したか否かを判定する判定手段と、前記一時的なセル選択の期限が経過したと判定されたときに、前記期限の経過を報告する報告メッセージを、前記第１のネットワークの基地局に送信する送信手段と、を備えた構成を有している。
【００４０】
この構成により、第１のネットワークの基地局は、端末装置から送信される報告メッセージによって、第２のネットワークへの一時的なセル選択の期限が経過したことを把握することができる。これにより、第１のネットワークの基地局において、第２のネットワークへの一時的なセル選択の期限経過後の適切な通信制御が可能になる。
【００４１】
また、本発明の通信システムは、第１のネットワークから第２のネットワークへのセル選択がネットワークごとに設定された優先度に基づいて行われるネットワーク環境において、前記第２のネットワークへの一時的なセル選択後における端末装置と前記第１のネットワークの基地局との間で通信制御が行われる通信システムであって、前記第１のネットワークの基地局は、前記一時的なセル選択に関する情報を前記端末装置との間で送受信する送受信手段を備え、前記端末装置は、前記第１のネットワークからの一時的なセル選択の基準を示す情報であって期限付きの前記優先度の情報を含むセル選択基準情報を、前記第１のネットワークの基地局から受信する受信手段と、前記セル選択基準情報に基づいて、前記一時的なセル選択の期限が経過したか否かを判定する判定手段と、前記一時的なセル選択の期限が経過したと判定されたときに、前記期限の経過を報告する報告メッセージを、前記第１のネットワークの基地局に送信する送信手段と、を備えた構成を有している。
【００４２】
この構成によっても、上記と同様に、第１のネットワークの基地局は、端末装置から送信される報告メッセージによって、第２のネットワークへの一時的なセル選択の期限が経過したことを把握することができる。これにより、第１のネットワークの基地局において、第２のネットワークへの一時的なセル選択の期限経過後の適切な通信制御が可能になる。
【発明の効果】
【００４３】
本発明は、第１のネットワーク（移動元のネットワーク）と第２のネットワーク（移動先のネットワーク）との間のインターフェースを介して、第２のネットワークの通信品質情報を、第２のネットワークの基地局を経由して第１のネットワークの基地局へ送信し、その通信品質情報に基づいて第２のネットワークへのハンドオーバーの制御を行うことにより、通信プロトコルが異なるネットワーク間でハンドオーバーが行われたときに通信品質が低下するのを抑えることができるという効果を有する通信システムを提供することができるものである。
【発明を実施するための最良の形態】
【００４４】
以下、本発明の実施の形態の通信システムについて、図面を用いて説明する。この通信システムで用いられる端末装置は、通信プロトコルが異なるネットワーク間でハンドオーバーが行われたときに通信品質が低下するのを抑える機能を備えている。このような機能は、端末装置のＨＤＤやメモリ等に格納されたプログラムによって実現される。
【００４５】
なお、以下の実施の形態の説明では、ＧＰＲＳ、ＵＭＴＳ、ＬＴＥ等の３ＧＰＰで規定されているシステムを３ＧＰＰネットワークとして記載し、ＷＬＡＮ、ＷｉＭＡＸ（ＩＥＥＥ８０２．１６、ＩＥＥＥ８０２．１６ｅ等）、３ＧＰＰ２等の３ＧＰＰで定義されていないシステムをＮｏｎ−３ＧＰＰネットワークとして記載する。本発明は、３ＧＰＰネットワークとＮｏｎ−３ＧＰＰネットワークのハンドオーバーに限られるものではなく、例えば、３ＧＰＰ２ネットワークとＷｉＭＡＸネットワーク間のハンドオーバーにも適用可能である。
【００４６】
（第１の実施の形態）
本発明の第１の実施の形態の通信システムを図１〜図６を用いて説明する。図１は、本実施の形態の通信システムで用いられる端末装置と基地局の構成を示すブロック図である。図２は、３ＧＰＰネットワークとＮｏｎ−３ＧＰＰネットワークの通信エリアの説明図である。ここでは、まず、図２を参照して、本実施の形態の通信システムのネットワーク環境について説明する。
【００４７】
図２に示すように、本実施の形態の通信システム１では、３ＧＰＰネットワークの通信エリアのほうが、Ｎｏｎ−３ＧＰＰネットワークの通信エリアよりも広く、３ＧＰＰネットワークの通信エリアの中に、Ｎｏｎ−３ＧＰＰネットワークの通信エリアが含まれている。そして、この３ＧＰＰネットワークとＮｏｎ−３ＧＰＰネットワークでは、それぞれ異なる通信プロトコルが使用されている。ここでは、３ＧＰＰネットワークが、本発明の第１のネットワークに相当し、Ｎｏｎ−３ＧＰＰネットワークが、本発明の第２のネットワークに相当する。
【００４８】
３ＧＰＰネットワークには、通信エリア内の端末装置２と通信を行う基地局としてｅＮＢ（EUTRAN Node B）３が設けられている。ｅＮＢ３は、ＡＳ（Access Stratum）の機能
を備えており、３ＧＰＰネットワークの通信エリア内の端末装置２の移動制御を行うことができる。例えば、ｅＮＢ３は、上位のエンティティ（ＭＭＥなど）で決定されたＱｏＳに従って、端末装置２に無線のチャネルを割り当て、そのチャネルを用いて端末装置２との通信を行う。なお、ＭＭＥ（Mobility Management Entity）は、ＮＡＳ（Non Access Stratum）の機能を備えており、端末装置２に提供するサービスに必要なＱｏＳの決定、端末装置２の認証などを行う移動管理エンティティである。ここでは、ｅＮＢ３が、本発明の第１のネットワークの基地局に相当する。
【００４９】
また、３ＧＰＰネットワークには、インターネット（図示せず）とのインターフェースとして、Ｐ−ＧＷ４（Packet Gateway）４が設けられている。３ＧＰＰネットワーク内の端末装置２にサービス（例えば、音声通信、データダウンロード等）が提供されるときには、サービスに関するデータがインターネットからＰ−ＧＷ４に届き、そのデータがＰ−ＧＷ４からｅＮＢ３を介して端末装置２へと送られる。
【００５０】
Ｎｏｎ−３ＧＰＰネットワークには、通信エリア内の端末装置２と通信を行う基地局（アクセスルータとも呼ばれる）としてＡＲ（Access Router）５が設けられている。ＡＲ５は、Ｎｏｎ−３ＧＰＰネットワークの通信エリア内の端末装置２の移動制御を行う機能を備えている。ここでは、このＡＲ５が、本発明の第２のネットワークの基地局に相当する。なお、Ｎｏｎ−３ＧＰＰネットワークの構成としては、この他の構成をとっても良く、基地局とその上位ノードから構成されるようなものでもかまわない。
【００５１】
また、Ｎｏｎ−３ＧＰＰネットワークには、３ＧＰＰネットワークとのインターフェースとして、ｅＰＤＧ（evolved Packet Data Gateway）６が設けられている（図５参照）。このｅＰＤＧ６を介して、Ｎｏｎ−３ＧＰＰネットワークの基地局（ＡＲ５）から３ＧＰＰネットワークの基地局（ｅＮＢ３）へデータ通信が可能になる。これにより、３ＧＰＰネットワークとＮｏｎ−３ＧＰＰネットワークが「トンネリング」を用いてデータ通信が可能になるともいえる。
【００５２】
ここで、トンネリングについて簡単に説明する。トンネリングとは、仮想のパスを設定して、そのパス上でデータ、または制御情報のやり取りを行うものである。本実施の携帯では、具体的には、３ＧＰＰネットワークからＮｏｎ−３ＧＰＰネットワークへのハンドオーバーの場合に、端末装置２とＡＲ５とで情報のやり取りをすることを考える。ハンドオーバーの実施前には、端末装置２とＡＲ５は接続が無いため情報のやり取りを直接することが出来ない。そのため、端末装置２とＡＲ５とでやり取りする情報を、端末装置２とｅＮＢ３とでやり取りするメッセージ、ｅＮＢ３とＡＲ５とでやり取りするメッセージの中に埋め込んでやり取りすることが考えられる。すなわち、端末装置２とＡＲ５の間が仮想のパスとして設定され、直接接続が無くても通信できることになる。
【００５３】
通常、３ＧＰＰネットワークからＮｏｎ−３ＧＰＰネットワークへのハンドオーバーが行われると、端末装置２がアクセスする基地局がｅＮＢ３からＡＲ５へ切り替えられる。したがって、Ｎｏｎ−３ＧＰＰネットワークへのハンドオーバー後は、３ＧＰＰネットワークから端末装置２へ直接アクセスすることができなくなる。ところが、本実施の形態では、Ｎｏｎ−３ＧＰＰネットワークへのハンドオーバー後であっても、トンネリングを用いることにより（ｅＰＤＧ６を介して）、３ＧＰＰネットワークから端末装置２へアクセスすることができる（図５参照）。
【００５４】
次に、図１に戻って、通信システム１で用いられる端末装置２と基地局（ｅＮＢ３）の構成について説明する。ここでは、まず、端末装置２の構成について説明する。図１に示すように、端末装置２は、３ＧＰＰネットワークの基地局（ｅＮＢ３）からの信号を受信する第１信号受信部７と、Ｎｏｎ−３ＧＰＰネットワークの基地局（ＡＲ５）からの信号を受信する第２信号受信部８を備えている。第１信号受信部７では、３ＧＰＰネットワークから受信した無線信号等の復調処理が行われる。また、第２信号受信部８では、Ｎｏｎ−３ＧＰＰネットワークから受信した無線信号等の復調処理が行われる。
【００５５】
第１信号受信部７は、３ＧＰＰネットワークにおけるＱｏＳ制御情報を受信した場合には、そのＱｏＳ制御情報をＱｏＳ設定部９に送る。また、第１信号受信部７は、３ＧＰＰネットワークにおける移動制御情報を受信した場合には、その移動制御情報を第１移動制御部１０に送る。また、第１信号受信部７は、Ｎｏｎ−３ＧＰＰネットワークとやり取りする制御情報（Ｎｏｎ−３ＧＰＰネットワーク用の制御情報）を３ＧＰＰネットワークを介して受信した場合には、そのＮｏｎ−３ＧＰＰネットワーク用の制御情報を受信コンバータ部１１に送る。
【００５６】
第２信号受信部８は、Ｎｏｎ−３ＧＰＰネットワークにおける移動制御情報を受信した場合には、その移動制御情報を第２移動制御部１２に送る。また、第２信号受信部８は、３ＧＰＰネットワークとやり取りする制御情報（３ＧＰＰネットワーク用の制御情報）をＮｏｎ−３ＧＰＰネットワークを介して受信した場合には、その３ＧＰＰネットワーク用の制御情報を受信コンバータ部１１に送る。また、第２信号受信部８は、Ｎｏｎ−３ＧＰＰネットワークで提供されるサービスに関する情報（制御情報以外の通常データ等）を受信した場合には、その情報をＱｏＳ測定部１３に送る。
【００５７】
受信コンバータ部１１は、第１信号受信部７や第２信号受信部８で受信した端末装置２の制御情報のフォーマットを変換する機能を備えている。Ｎｏｎ−３ＧＰＰネットワーク用の制御情報を３ＧＰＰネットワークを介して（第１信号受信部７で）受信する場合には、３ＧＰＰネットワーク用のフォーマットで受信することなる。その場合に、受信コンバータ部１１は、３ＧＰＰネットワーク用のフォーマットの制御情報を、Ｎｏｎ−３ＧＰＰネットワーク用のフォーマットに変換する。また、３ＧＰＰネットワーク用の制御情報をＮｏｎ−３ＧＰＰネットワークを介して（第２信号受信部８で）受信する場合には、Ｎｏｎ−３ＧＰＰネットワーク用のフォーマットで受信することなる。その場合に、受信コンバータ部１１は、Ｎｏｎ−３ＧＰＰネットワーク用のフォーマットの制御情報を、３ＧＰＰネットワーク用のフォーマットに変換する。
【００５８】
第１信号受信部７で受信したＮｏｎ−３ＧＰＰネットワーク用の制御情報は、受信コンバータ部１１でＮｏｎ−３ＧＰＰネットワーク用のフォーマットに変換された後、第２移動制御部１２に送られる。また、第２信号受信部８で受信した３ＧＰＰネットワーク用の制御情報は、受信コンバータ部１１で３ＧＰＰネットワーク用のフォーマットに変換された後、第１移動制御部１０に送られる。
【００５９】
ＱｏＳ設定部９は、３ＧＰＰネットワークにおいて端末装置２が提供されるサービスのＱｏＳを設定する機能を備えている。ＱｏＳ設定部９は、第１信号受信部７から受け取った３ＧＰＰネットワークのＱｏＳ制御情報に基づいて、３ＧＰＰネットワークのＱｏＳの設定を行う。このＱｏＳ制御情報には、Ｎｏｎ−３ＧＰＰネットワークにおけるＱｏＳ閾値情報（後述する）が含まれており、このＱｏＳ閾値情報は、ＱｏＳ設定部９からＱｏＳ閾値設定部１４へ送られる。
【００６０】
第１移動制御部１０は、３ＧＰＰネットワークにおける端末装置２の移動制御を行う機能を備えている。この第１移動制御部１０では、３ＧＰＰネットワークにおける移動制御情報の処理や設定が行われる。また、第１移動制御部１０では、３ＧＰＰネットワークへ送信するためのメッセージ（端末装置２の移動制御に関するメッセージ）の作成が行われる。メッセージが３ＧＰＰネットワークへ直接送信される場合には、第１移動制御部１０から第１信号送信部１５へメッセージが送られる。また、メッセージがＮｏｎ−３ＧＰＰネットワークを介して（トンネリングを用いて）３ＧＰＰネットワークへ送信される場合には、第１移動制御部１０から送信コンバータ部１６へメッセージが送られる。後述するように、このメッセージには、ＱｏＳ測定部１３で測定されたＮｏｎ−３ＧＰＰネットワークにおけるＱｏＳの情報が含まれる。なお、本実施の形態では、このメッセージとして、ＲＲＣメッセージ（Radio Resource Control メッセージ）が使用される。また、Ｑｏ
Ｓの情報には、ネットワークのスループット、遅延、誤り率などの情報が含まれる。
【００６１】
第２移動制御部１２は、Ｎｏｎ−３ＧＰＰネットワークにおける端末装置２の移動制御を行う機能を備えている。この第２移動制御部１２では、Ｎｏｎ−３ＧＰＰネットワークにおける移動制御情報の処理や設定が行われる。また、第２移動制御部１２では、Ｎｏｎ−３ＧＰＰネットワークへ送信するためのメッセージ（端末装置２の移動制御に関するメッセージ）の作成が行われる。メッセージがＮｏｎ−３ＧＰＰネットワークへ直接送信される場合には、第２移動制御部１２から第２信号送信部１７へメッセージが送られる。また、メッセージが３ＧＰＰネットワークを介して（トンネリングを用いて）Ｎｏｎ−３ＧＰＰネットワークへ送信される場合には、第２移動制御部１２から送信コンバータ部１６へメッセージが送られる。
【００６２】
ＱｏＳ閾値設定部１４は、Ｎｏｎ−３ＧＰＰネットワークにおいて端末装置２が受けるサービスの品質の基準を設定する機能を備えている。Ｎｏｎ−３ＧＰＰネットワークにおけるサービス品質の基準は、ＱｏＳ設定部９から受け取ったＱｏＳ閾値情報に基づいて設定される。このＱｏＳ閾値情報は、ＱｏＳの基準となるＱｏＳ閾値そのものを含んでもよく、また、ＱｏＳ閾値を設定するための情報であってもよい。例えば、ＱｏＳ閾値として、ＱｏＳの絶対値が用いられてもよい。また、例えば、ＱｏＳ閾値を設定するための情報として「８０％」という情報を用いてもよく、その場合には、ＱｏＳ設定部９で設定したＱｏＳの８０％の値がＱｏＳ閾値として設定される。ここでは、ＱｏＳ閾値設定部１４が、本発明の送信条件設定手段に相当する。
【００６３】
ＱｏＳ測定部１３は、Ｎｏｎ−３ＧＰＰネットワークにおけるＱｏＳ（サービス品質）を測定し、ＱｏＳ閾値設定部１４から受け取ったＱｏＳ閾値と比較する機能を備えている。ＱｏＳ測定部１３は、測定したＱｏＳ（Ｎｏｎ−３ＧＰＰネットワークにおけるＱｏＳ）がＱｏＳ閾値を下回った場合に、そのＱｏＳの情報を第１移動制御部１０に送る。そして、このＱｏＳ測定部１３で測定されたＱｏＳの情報（例えば、３０Ｍｂｉｔ／秒など、図１０参照）は、第１移動制御部１０で作成されるメッセージに含められ、トンネリングを用いて３ＧＰＰネットワークへ送信される。ここでは、このＱｏＳの情報が、本発明の通信品質情報に相当し、ＱｏＳ測定部１３が、本発明の情報取得手段に相当する。
【００６４】
送信コンバータ部１６は、第１信号送信部１５や第２信号送信部１７から送信する端末装置２の制御情報のフォーマットを変換する機能を備えている。Ｎｏｎ−３ＧＰＰネットワーク用の制御情報を３ＧＰＰネットワークを介して（第１信号送信部１５から）送信する場合には、３ＧＰＰネットワーク用のフォーマットで送信することなる。その場合に、送信コンバータ部１６は、Ｎｏｎ−３ＧＰＰネットワーク用のフォーマットの制御情報を、３ＧＰＰネットワーク用のフォーマットに変換する。また、３ＧＰＰネットワーク用の制御情報をＮｏｎ−３ＧＰＰネットワークを介して（第２信号送信部１７から）送信する場合には、Ｎｏｎ−３ＧＰＰネットワーク用のフォーマットで送信することなる。その場合に、送信コンバータ部１６は、３ＧＰＰネットワーク用のフォーマットの制御情報を、Ｎｏｎ−３ＧＰＰネットワーク用のフォーマットに変換する。
【００６５】
第１信号送信部１５から送信されるＮｏｎ−３ＧＰＰネットワーク用の制御情報は、送信コンバータ部１６で３ＧＰＰネットワーク用のフォーマットに変換された後、第１移動制御部１０に送られる。また、第２信号送信部１７から送信される３ＧＰＰネットワーク用の制御情報は、送信コンバータ部１６でＮｏｎ−３ＧＰＰネットワーク用のフォーマットに変換された後、第２移動制御部１２に送られる。
【００６６】
第１信号送信部１５は、３ＧＰＰネットワークの基地局（ｅＮＢ３）へ信号を送信する。この第１信号送信部１５では、３ＧＰＰネットワークへ送信する無線信号等の変調処理が行われる。また、第２信号送信部１７は、Ｎｏｎ−３ＧＰＰネットワークの基地局（ＡＲ５）へ信号を送信する。この第２信号送信部１７では、Ｎｏｎ−３ＧＰＰネットワークへ送信する無線信号等の変調処理が行われる。本実施の形態では、ｅＰＤＧ６を介して（トンネリングを用いて）、Ｎｏｎ−３ＧＰＰネットワークの基地局（ＡＲ５）を経由して、３ＧＰＰネットワークの基地局（ｅＮＢ３）へＱｏＳの情報が送信される。したがって、ここでは、第２信号送信部１７が、本発明の情報送信手段に相当する。
【００６７】
続いて、３ＧＰＰネットワークの基地局（ｅＮＢ３）の構成について説明する。図１に示すように、ｅＮＢ３は、通信エリア内の端末装置２との情報の送受信を行う送受信部１８と、３ＧＰＰネットワークとＮｏｎ−３ＧＰＰネットワークとの間のハンドオーバーの制御を行うハンドオーバー制御部１９を備えている。
【００６８】
ｅＮＢ３では、端末装置２との通信を開始したとき、または、Ｎｏｎ−３ＧＰＰネットワークの基地局（ＡＲ５）へのハンドオーバーを行ったときに、ＱｏＳ閾値の情報が送受信部１８から端末装置２へ送信される。したがって、この送受信部１８が、本発明の条件送信手段に相当する。
【００６９】
また、ハンドオーバー制御部１９では、Ｎｏｎ−３ＧＰＰネットワークの通信エリア内へ端末装置２が移動したときに、後述するように、Ｎｏｎ−３ＧＰＰネットワークの基地局（ＡＲ５）へのハンドオーバーの制御が行われる。ここでは、ハンドオーバー制御部１９が、本発明のハンドオーバー制御手段に相当する。
【００７０】
以上のように構成された通信システム１について、図面を用いてその動作を説明する。
【００７１】
ここでは、まず、図２〜図５を用いて、ハンドオーバー制御について説明する。図２は、端末装置２が３ＧＰＰネットワークの通信エリア内に入っている（Ｎｏｎ−３ＧＰＰネットワークの通信エリアには入っていない）状態を示す図である。また、図３は、３ＧＰＰネットワークの通信エリア内（Ｎｏｎ−３ＧＰＰネットワークの通信エリア外）の携帯端末が３ＧＰＰネットワークにアクセスする様子を示す図である。
【００７２】
図２および図３に示すように、端末装置２が３ＧＰＰネットワークの通信エリア内に入っており、Ｎｏｎ−３ＧＰＰネットワークの通信エリアには入っていない場合には、携帯端末は、３ＧＰＰネットワークの基地局（ｅＮＢ３）に接続する。そして、３ＧＰＰネットワークの通信エリア内の携帯端末は、ｅＮＢ３を経由して（Ｐ−ＧＷ４を介して）インターネットに接続し、サービスを受信する。
【００７３】
図４は、端末装置２が移動してＮｏｎ−３ＧＰＰネットワークの通信エリア内に移動した状態を示す図である。また、図５は、Ｎｏｎ−３ＧＰＰネットワークの通信エリア内の携帯端末がＮｏｎ−３ＧＰＰネットワークにアクセスする様子を示す図である。
【００７４】
図４および図５に示すように、端末装置２がＮｏｎ−３ＧＰＰネットワークの通信エリア内に移動すると、３ＧＰＰネットワークからＮｏｎ−３ＧＰＰネットワークへのハンドオーバーが行われる。つまり、携帯端末がアクセスする基地局が、３ＧＰＰネットワークの基地局（ｅＮＢ３）からＮｏｎ−３ＧＰＰネットワークの基地局（ＡＲ５）へ切り替えられる。
【００７５】
つまり、このようにハンドオーバーが行われると、携帯端末は、Ｎｏｎ−３ＧＰＰネットワークの基地局（ＡＲ５）に接続する。そして、Ｎｏｎ−３ＧＰＰネットワークの通信エリア内の携帯端末は、ＡＲ５を経由して（ｅＰＤＧ６とＰ−ＧＷ４を介して）インターネットに接続し、サービスを受信する。
【００７６】
なお、このように３ＧＰＰネットワークからＮｏｎ−３ＧＰＰネットワークへのハンドオーバーが行われると、３ＧＰＰネットワークの基地局と端末装置２との間で通信を行うことはできなくなる。しかし、本実施の形態では、Ｎｏｎ−３ＧＰＰネットワークへのハンドオーバー後であっても、トンネリングを用いることにより（ｅＰＤＧ６を介して）、３ＧＰＰネットワークの基地局と端末装置２との間で通信を行うことが可能である。
【００７７】
次に、図６を用いて、本発明の特徴的な動作を説明する。
【００７８】
ここでは、３ＧＰＰネットワークからＮｏｎ−３ＧＰＰネットワークへハンドオーバーを行ったときに、ハンドオーバー先のネットワーク（Ｎｏｎ−３ＧＰＰネットワーク）のＱｏＳが低い場合のハンドオーバー制御について説明する。
【００７９】
図６は、本実施の形態のハンドオーバー制御の流れを示すフロー図である。図６に示すように、まず、３ＧＰＰネットワークの基地局（ｅＮＢ３）から端末装置２に対してメッセージ（ＲＲＣメッセージ）が送信される（Ｓ１）。このメッセージには、３ＧＰＰネットワーク内で端末装置２がサービスを受信するためのサービス設定や、サービスを受信するためのチャネル設定、ＱｏＳ閾値を設定するための情報が含まれている。このメッセージを受信した端末装置２では、サービスの設定処理やチャネル設定処理が行われる。また、このとき、端末装置２のＱｏＳ閾値設定部１４では、Ｎｏｎ−３ＧＰＰネットワークに移動した際に測定報告を行うべきＱｏＳ閾値の設定が行われる。
【００８０】
つぎに、３ＧＰＰネットワークの基地局（ｅＮＢ３）から端末装置２へ、ハンドオーバー先のネットワーク（Ｎｏｎ−３ＧＰＰネットワーク）の通信状況の測定要求が送信される（Ｓ２）。これは、Ｎｏｎ−３ＧＰＰネットワークの通信エリア内へ端末装置２が入る可能性がある場合に送信されるが、その判断はｅＮＢ３次第でありどのように判断を下しても良い。例えば、ｅＮＢ３の範囲内にＮｏｎ−３ＧＰＰネットワークのエリアがある場合には常に端末に対して測定要求を行うようにしても良いし、端末の３ＧＰＰネットワーク内での受信品質を基にしても良い。測定要求を受信した端末装置２では、Ｎｏｎ−３ＧＰＰネットワークの通信状況の測定を行う（Ｓ３）。例えば、Ｎｏｎ−３ＧＰＰネットワークの受信品質の測定を行う。そして、端末装置２は、その測定結果の報告を３ＧＰＰネットワークの基地局（ｅＮＢ３）へ送信する（Ｓ４）。なお、この測定結果の報告も、定期的にｅＮＢ３に報告することも可能であるし、Ｎｏｎ−３ＧＰＰネットワークの受信品質が特定の条件（例えばある閾値を上回った場合）を満たした場合のみに送信するなどにしても良い。これらの設定は、Ｓ２で行われる。
【００８１】
３ＧＰＰネットワークの基地局（ｅＮＢ３）は、端末装置２から受信した測定結果報告に基づいて、Ｎｏｎ−３ＧＰＰネットワークへのハンドオーバーを行うか否かの判断を行う。例えば、測定結果が所定の基準を満たしている場合には、Ｎｏｎ−３ＧＰＰネットワークへのハンドオーバーを行うことを決定する（Ｓ５）。
【００８２】
その後、３ＧＰＰネットワークの基地局（ｅＮＢ３）から端末装置２へハンドオーバー指示が送信されると（Ｓ６）、端末装置２からＮｏｎ−３ＧＰＰネットワークの基地局（ＡＲ５）へハンドオーバー要求が送信される（Ｓ７）。ハンドオーバー要求を受信したＮｏｎ−３ＧＰＰネットワークの基地局（ＡＲ５）は、端末装置２のハンドオーバーの準備を開始する（Ｓ８）。そして、ハンドオーバーの準備が完了すると、Ｎｏｎ−３ＧＰＰネットワークの基地局（ＡＲ５）から端末装置２へハンドオーバー応答が送信される（Ｓ９）。
【００８３】
ハンドオーバー応答を受信した端末装置２は、Ｎｏｎ−３ＧＰＰネットワークの基地局（ＡＲ５）に対してハンドオーバーを行うことを示すハンドオーバー通知を送信し（Ｓ１０）、その後、Ｎｏｎ−３ＧＰＰネットワークへの切替えを行う（Ｓ１１）。そして、端末装置２は、Ｎｏｎ−３ＧＰＰネットワークの基地局（ＡＲ５）へのアクセスを開始する（Ｓ１２）。このようにして、３ＧＰＰネットワークからＮｏｎ−３ＧＰＰネットワークへのハンドオーバーが行われる。
【００８４】
ハンドオーバーが行われた後、端末装置２は、ハンドオーバー先のネットワーク（Ｎｏｎ−３ＧＰＰネットワーク）のＱｏＳの測定を行い、Ｓ１で設定されたＱｏＳ閾値との比較を行う（Ｓ１３）。そして、測定したＱｏＳの値がＱｏＳ閾値以下である場合には、その測定結果を３ＧＰＰネットワークへ報告する。この場合、トンネリングを用いることにより（ｅＰＤＧ６を介して）、端末装置２から３ＧＰＰネットワークの基地局（ｅＮＢ３）へＱｏＳの測定結果が送信される。
【００８５】
このようにして、ＱｏＳの値がＱｏＳ閾値以下であるという測定結果の報告を受けた３ＧＰＰネットワークの基地局（ｅＮＢ３）は、Ｎｏｎ−３ＧＰＰネットワークへのハンドオーバーを停止する（Ｓ１５）。これにより、その後にＮｏｎ−３ＧＰＰネットワークの通信エリア内に移動した端末装置２については、そのＮｏｎ−３ＧＰＰネットワークへのハンドオーバーが行われなくなる。
【００８６】
なお、ここでは、Ｎｏｎ−３ＧＰＰネットワークへのハンドオーバーを停止する例について説明したが、本発明の範囲はこれに限定されるものではなく、Ｎｏｎ−３ＧＰＰネットワークへのハンドオーバーを抑制してもよい。例えば、Ｎｏｎ−３ＧＰＰネットワークへのハンドオーバーを決定する（Ｓ５）ときの基準を高く設定する、またはＳ２で設定する測定結果報告（Ｓ４）を送る基準を高く設定するなどして、Ｎｏｎ−３ＧＰＰネットワークへのハンドオーバーが行われ難くなるようにしてもよい。
【００８７】
また、すでにＮｏｎ−３ＧＰＰネットワークへのハンドオーバーを行った端末装置２については、３ＧＰＰネットワークへ戻すハンドオーバーを行うためのハンドオーバー指示を送信する（Ｓ１６）。この場合、トンネリングを用いることにより（ｅＰＤＧ６を介して）、３ＧＰＰネットワークの基地局（ｅＮＢ３）から端末装置２へハンドオーバー指示が送信される。
【００８８】
そして、ハンドオーバー指示を受信した端末装置２は、Ｎｏｎ−３ＧＰＰネットワークへの切替えを行い（Ｓ１７）、３ＧＰＰネットワークへハンドオーバー確認を送信する（Ｓ１８）。このハンドオーバー確認には、Ｎｏｎ−３ＧＰＰネットワークの状況に関する詳しい情報（ＱｏＳ以外の情報、またはより詳細なＱｏＳの情報）が含まれていてもよい。
【００８９】
このような本発明の第１の実施の形態の通信システム１によれば、３ＧＰＰネットワーク（移動元のネットワーク）とＮｏｎ−３ＧＰＰネットワーク（移動先のネットワーク）との間のインターフェース（ｅＰＤＧ６）を介して、Ｎｏｎ−３ＧＰＰネットワークのＱｏＳの情報を、Ｎｏｎ−３ＧＰＰネットワークの基地局（ＡＲ５）を経由して３ＧＰＰネットワークの基地局（ｅＮＢ３）へ送信され、そのＱｏＳの情報に基づいてＮｏｎ−３ＧＰＰネットワークへのハンドオーバーの制御を行うことにより、３ＧＰＰネットワークとＮｏｎ−３ＧＰＰネットワークとの間でハンドオーバーが行われたときにＱｏＳが低下するのを抑えることができる。
【００９０】
すなわち、本実施の形態では、３ＧＰＰネットワークからＮｏｎ−３ＧＰＰネットワークへのハンドオーバーが行われて基地局が切り替えられた後であっても、３ＧＰＰネットワークとＮｏｎ−３ＧＰＰネットワークとの間のインターフェース（ｅＰＤＧ６）を介して、Ｎｏｎ−３ＧＰＰネットワーク（移動先のネットワーク）のＱｏＳの情報が、Ｎｏｎ−３ＧＰＰネットワークの基地局（ＡＲ５）を経由して３ＧＰＰネットワーク（移動元のネットワーク）の基地局（ｅＮＢ３）へ送信される。これにより、３ＧＰＰネットワーク（移動元のネットワーク）が、Ｎｏｎ−３ＧＰＰネットワーク（移動先のネットワーク）のＱｏＳの状況を把握することができる。そして、３ＧＰＰネットワーク（移動元のネットワーク）は、Ｎｏｎ−３ＧＰＰネットワーク（移動先のネットワーク）のＱｏＳの状況を考慮して、Ｎｏｎ−３ＧＰＰネットワークへのハンドオーバーを適切に制御することができる。これにより、ＱｏＳが低下するのを抑えるようなハンドオーバーの制御が行われる。
【００９１】
例えば、本実施の形態では、ＱｏＳが低いＮｏｎ−３ＧＰＰネットワークへハンドオーバーされた端末装置２を、３ＧＰＰネットワーク（移動元のネットワーク）へ戻すようにハンドオーバーの制御が行われる。つまり、端末装置２がＮｏｎ−３ＧＰＰネットワークの通信エリア内に入っても、そのＮｏｎ−３ＧＰＰネットワークのＱｏＳが低い場合には、３ＧＰＰネットワークへ戻すハンドオーバーが行われる。これにより、ＱｏＳが低下するのを抑えるようなハンドオーバーの制御が行われる。
【００９２】
また、本実施の形態では、Ｎｏｎ−３ＧＰＰネットワーク（移動先のネットワーク）のＱｏＳが低い場合には、そのＮｏｎ−３ＧＰＰネットワークへのハンドオーバーを抑制または停止する。つまり、端末装置２がＮｏｎ−３ＧＰＰネットワークの通信エリア内へ移動しても、Ｎｏｎ−３ＧＰＰネットワークのＱｏＳが低い場合には、そのＮｏｎ−３ＧＰＰネットワークへのハンドオーバーを行わないようにする。これにより、ＱｏＳが低下するのを抑えるようなハンドオーバーの制御が行われる。
【００９３】
このように、本実施の形態では、端末装置２のハンドオーバーが行われた後に、ハンドオーバー先のネットワーク（Ｎｏｎ−３ＧＰＰネットワーク）のＱｏＳの状況が、ハンドオーバー元のネットワーク（３ＧＰＰネットワーク）に報告される。このように、ハンドオーバー元のネットワークに対して、ハンドオーバー先のネットワークのＱｏＳが低いことを通知することにより、二つのネットワークのＱｏＳの差が解消される。
【００９４】
また、本実施の形態では、設定されたＱｏＳ閾値を基準として、Ｎｏｎ−３ＧＰＰネットワーク（移動先のネットワーク）のＱｏＳの情報を送信するか否かが決定される。例えば、Ｎｏｎ−３ＧＰＰネットワーク（移動先のネットワーク）のＱｏＳが所定のＱｏＳ閾値以下である場合に、Ｎｏｎ−３ＧＰＰネットワークのＱｏＳの情報が送信される。これにより、Ｎｏｎ−３ＧＰＰネットワークのＱｏＳの情報の報告が適切な頻度で行われる。
【００９５】
この場合、３ＧＰＰネットワークの基地局（ｅＮＢ３）と端末装置２との通信の開始時に、３ＧＰＰネットワークの基地局から端末装置２へＱｏＳ閾値が送信される。これにより、適切なタイミングでＱｏＳ閾値の設定が行われる。
【００９６】
（第２の実施の形態）
次に、本発明の第２の実施の形態の通信システム１を図７〜図９を用いて説明する。ここでは、本実施の形態の通信システム１が第１の実施の形態と相違する点を中心に説明する。したがって、ここで特に言及しない限り、本実施の形態の構成や動作は第１の実施の形態と同様である。
【００９７】
本実施の形態では、ＱｏＳ閾値の情報が、第１信号受信部７からＱｏＳ設定部９へ送られるＱｏＳ制御情報に含まれておらず、第１信号受信部７から第１移動制御部１０へ送られる３ＧＰＰネットワークにおける移動制御情報に含まれている点で、第１の実施の形態と相違する。
【００９８】
図７は、本実施の形態の通信システム１で用いられる端末装置２と基地局の構成を示すブロック図である。図７に示すように、本実施の形態では、ＱｏＳ設定部９は、ＱｏＳ閾値設定部１４へＱｏＳ閾値の情報を送るように構成されておらず、第１移動制御部１０が、ＱｏＳ閾値設定部１４へＱｏＳ閾値の情報を送るように構成されている。
【００９９】
図８は、本実施の形態のハンドオーバー制御の流れを示すフロー図である。図８に示すように、まず、３ＧＰＰネットワークの基地局（ｅＮＢ３）から端末装置２に対してメッセージが送信される（Ｓ２０）。このメッセージには、３ＧＰＰネットワーク内で端末装置２がサービスを受信するためのサービス設定や、サービスを受信するためのチャネル設定が含まれているが、ＱｏＳ閾値を設定するための情報は含まれていない。したがって、このとき、端末装置２のＱｏＳ閾値設定部１４では、Ｎｏｎ−３ＧＰＰネットワークのＱｏＳ閾値の設定が行われない。
【０１００】
本実施の形態では、３ＧＰＰネットワークの基地局（ｅＮＢ３）から端末装置２へハンドオーバー指示が送信されるときに、ＱｏＳ閾値の情報が同時に送信される（Ｓ２１）。このＱｏＳ閾値の情報は、第１信号受信部７で受信されて、第１移動制御部１０からＱｏＳ閾値設定部１４へ送られる。そして、ＱｏＳ閾値設定部１４で、Ｎｏｎ−３ＧＰＰネットワークのＱｏＳ閾値の設定が行われる。
【０１０１】
また、本実施の形態では、ある端末装置２（端末装置Ａ）からＱｏＳの測定結果報告を受けたときに、他の端末装置２（端末装置Ｂ）に対してＱｏＳ測定の要求を行う点で相違する。
【０１０２】
図９は、他の端末装置２（端末装置Ｂ）に対してＱｏＳ測定の要求を行うときの制御の流れを示すフロー図である。図９に示すように、Ｎｏｎ−３ＧＰＰネットワーク内の端末装置ＡからＱｏＳの値がＱｏＳ閾値以下であるという測定結果の報告を受けた３ＧＰＰネットワークの基地局（ｅＮＢ３）は、そのＮｏｎ−３ＧＰＰネットワーク内の他の端末装置Ｂに対して、ＱｏＳの測定要求を送信する（Ｓ２２）。この場合、トンネリングを用いることにより（ｅＰＤＧ６を介して）、３ＧＰＰネットワークの基地局（ｅＮＢ３）から端末装置ＢへＱｏＳの測定要求が送信される。
【０１０３】
ＱｏＳの測定要求を受信した端末装置Ｂは、Ｎｏｎ−３ＧＰＰネットワークのＱｏＳの測定を行い（Ｓ２３）、その測定結果を３ＧＰＰネットワークへ報告する（Ｓ２４）。この場合も、トンネリングを用いることにより（ｅＰＤＧ６を介して）、端末装置Ｂから３ＧＰＰネットワークの基地局（ｅＮＢ３）へＱｏＳの測定結果が送信される。
【０１０４】
このような本発明の第２の実施の形態の通信システム１によっても、第１の実施の形態と同様の作用効果を奏することができる。
【０１０５】
本実施の形態では、Ｎｏｎ−３ＧＰＰネットワークへのハンドオーバー時に、３ＧＰＰネットワークの基地局から端末装置２へＱｏＳ閾値が送られる。これにより、適切なタイミングでＱｏＳ閾値の設定が行われる。
【０１０６】
また、本実施の形態では、一つの携帯端末（携帯端末Ａ）だけでなく他の携帯端末（携帯端末Ｂ）からも、ハンドオーバー先のネットワーク（Ｎｏｎ−３ＧＰＰネットワーク）のＱｏＳの情報を入手できるので、ＱｏＳの情報の信頼性が向上する。
【０１０７】
なお、本実施の形態では、ＱｏＳ閾値の情報が、第１信号受信部７から第１移動制御部１０へ送られる３ＧＰＰネットワークにおける移動制御情報に含まれている例について説明した。しかし、本発明の範囲はこれに限定されるものではなく、ＱｏＳ閾値の情報が、第２信号受信部８から受信コンバータ部１１を介して第１移動制御部１０へ送られるＮｏｎ−３ＧＰＰネットワークにおける移動制御情報に含まれていてもよい。
【０１０８】
また、本実施の形態において、ＱｏＳ閾値の情報が、第１信号受信部７からＱｏＳ設定部９へ送られるＱｏＳ制御情報に含まれていてもよい。その場合には、第１の実施の形態と同様に、ＱｏＳ設定部９が、ＱｏＳ閾値設定部１４へＱｏＳ閾値の情報を送るように構成される。
【０１０９】
以上、本発明の実施の形態を例示により説明したが、本発明の範囲はこれらに限定されるものではなく、請求項に記載された範囲内において目的に応じて変更・変形することが可能である。
【０１１０】
例えば、以上の説明では、ハンドオーバー先のネットワーク（Ｎｏｎ−３ＧＰＰネットワーク）のＱｏＳの測定結果報告のためのメッセージとして、ＲＲＣメッセージを使用する例について説明した。しかし、本発明の範囲はこれに限定されるものではなく、サービスの特定の結果を報告するために、ＮＡＳメッセージを使用してもよい。
【０１１１】
また、以上の説明では、ＲＲＣメッセージを使用したＱｏＳの測定結果報告を３ＧＰＰネットワークの基地局（ｅＮＢ３）に報告する例について説明したが、例えば、ＮＡＳメッセージを使用する場合には、３ＧＰＰネットワークのＮＡＳの制御機能を持っているＭＭＥ（Mobility Management Entity）に報告するようにしてもよい。なお、その場合にはＱｏＳの測定結果を送信する契機となる閾値情報もＮＡＳメッセージを用いて端末に送信することとなる。またさらには、ＭＭＥがＲＲＣ機能の一部を持つような場合には、ＲＲＣメッセージをＭＭＥ宛に送信するような動作も可能である。
【０１１２】
また、以上の説明では、通信品質情報としてＱｏＳの情報を送信する例について説明したが、本発明の範囲はこれに限定されるものではない。通信品質情報には、図１０に示すように、ＱｏＳの情報（例えばスループット３０Ｍｂｉｔ／秒以上、遅延１00ms以内）のほかに、複数インターフェースサポートに関する情報、ＬＢＯサポートに関する情報、特定のＩＭＳサービスの有無に関する情報、電源消費に関する情報などが含まれる。
【０１１３】
ここで、複数インターフェースサポートに関する情報とは、ハンドオーバー先のネットワークでサポートされる他のシステムに関する情報である。例えば、Ｎｏｎ−３ＧＰＰネットワークにおいて基地局（ＡＲ５）が一つのシステム（例えばＷｉＭＡＸ）だけでなく、他のシステム（他のＷＬＡＮシステムなど）をサポートしている場合、端末装置２がそれらの複数のシステムに対応していれば、その複数のシステムを同時に利用することができる。このような場合に、予め端末装置２に「複数システム使用可能」と通知しているにもかかわらず、ハンドオーバー先のネットワーク（Ｎｏｎ−３ＧＰＰネットワーク）において一つのシステムしか利用できないときには、「複数インターフェースサポート：なし」という情報（実際の状況）を、ハンドオーバー元のネットワーク（３ＧＰＰネットワーク）に通知する。
【０１１４】
また、ＬＢＯサポートに関する情報とは、ＬＢＯ（Local Breakout）による直接通信が可能かどうかを示す指標である。例えば、予め端末装置２に「ＬＢＯサポートあり」と通知しているにもかかわらず、ハンドオーバー先のネットワーク（Ｎｏｎ−３ＧＰＰネットワーク）においてＬＢＯによる直接通信ができない場合には、「ＬＢＯサポートなし」という情報（実際の状況）を、ハンドオーバー元のネットワーク（３ＧＰＰネットワーク）に通知する。
【０１１５】
また、特定のＩＭＳサービスの有無に関する情報とは、ハンドオーバー先のネットワーク（Ｎｏｎ−３ＧＰＰネットワーク）におけるＩＭＳサービスの有無を示すものである。ＩＭＳサービスには、例えば、ＭＢＭＳのサービス、Ｐｕｓｈ  Ｔｏ  Ｔａｌｋのサービス、リアルタイムサービスなどが含まれる。例えば、予め端末装置２に「ＩＭＳサービスあり」と通知しているにもかかわらず、ハンドオーバー先のネットワーク（Ｎｏｎ−３ＧＰＰネットワーク）において、ＩＭＳサービスがいずれもサポートされていない場合には、「ＩＭＳサービス：なし」という情報（実際の状況）を、ハンドオーバー元のネットワーク（３ＧＰＰネットワーク）に通知する。
【０１１６】
また、電源消費に関する情報とは、ハンドオーバー先のネットワーク（Ｎｏｎ−３ＧＰＰネットワーク）における電源消費量の情報である。一般に、ネットワークでは、端末装置２の消費電力の低減のために、端末装置２が送受信する必要が無い場合には、端末装置２の送受信を一時的にオフすることにより、端末装置２の消費電力の削減を図っている。このネットワークの設定があまり適切でない場合には、端末装置２が同じサービスを受けていても、ネットワーク間で消費電力に大きな違いが出来てくることがある。このような場合に、例えば、端末装置２のハンドオーバーを行ったら、同じサービスを同じ品質で受けていても電力消費が大きくなった（例えば、電源消費が１０％／秒になった）等の消費電力の状況を、ハンドオーバー元のネットワークに報告することができる。
【０１１７】
なお、電源消費については、ネットワーク間で完全に同じ品質を維持することが困難である場合には、他の通信品質情報と一緒に通知することにより、ネットワーク側で総合的に判断するようにしてもよい。また、ある程度の範囲ならば同じ品質とみなせる等の指標を予め設定しておいてもよい。さらに、電源残量が少ないので、電池を持っているシステムに移らなくてはいけない、といった緊急的なフラグを設けてもよい。
【０１１８】
このように図１０に示すような内容の一部、または全てを端末に通知し、報告させるように指示を行うことが出来る。なお、ＱｏＳ関係をＲＲＣの情報として管理し、特定のＩＭＳサービスをＮＡＳの情報として管理するといった、ＲＲＣとＮＡＳを両方用いるようなことも考えられる。この場合には、例えばＱｏＳ関係が閾値を下回った場合にはＲＲＣメッセージを送信するし、特定のＩＭＳサービスが提供されていない場合にはＮＡＳメッセージを送信することとなる。
【０１１９】
（第３の実施の形態）
次に、本発明の第３の実施の形態の通信システムについて、図１２〜図１４を用いて説明する。第１および第２の実施の形態では、端末装置が通信中（呼接続中、アクティブ状態、ＬＴＥのシステムに接続している時はRRC_CONNECTED状態などともいう）の動作に特徴があるのに対して、本実施の形態では、端末装置が待ち受け中（アイドル状態、ＬＴＥのシステムに接続している時はRRC_IDLE状態などともいう）の動作に特徴がある。以下、この特徴（第１および第２の実施の形態と相違する点）を中心に、本実施の形態の通信システムを説明する。
【０１２０】
まず、図１２を参照して、本実施の形態の通信システム１００で用いられる端末装置１０１と基地局１０２の構成について説明する。図１２に示すように、端末装置１０１は、第１信号受信部１０３と第１信号測定部１０４と第１移動制御設定部１０５を備えている。また、端末装置１０１は、第２信号受信部１０６と第２信号測定部１０７と第２移動制御設定部１０８を備えている。さらに、端末装置１０１は、受信コンバーター部１０９と送信コンバーター部１１０と移動制御監視部１１１と第１信号送信部１１２と第２信号送信部１１３を備えている。
【０１２１】
第１信号受信部１０３は、第１のネットワークの基地局１０２から送信される信号を受信し、その第１のネットワークからの信号に含まれる報知情報を第１移動制御設定部１０５に出力する。また、この第１の信号受信部は、品質測定のための受信信号を第１信号測定部１０４に出力する。
【０１２２】
第２信号受信部１０６は、第２のネットワークの基地局１０２から送信される信号を受信し、その第２のネットワークからの信号に含まれる報知情報を第２移動制御設定部１０８に出力する。また、この第２信号受信部１０６は、品質測定のための受信信号を第２信号測定部１０７に出力する。
【０１２３】
ここで、報知情報について図１３を参照して説明する。報知情報（３ＧＰＰにおいてsystem information、BCCH（broadcast control channel）等とも呼ばれる）は、すべての端末装置１０１に共通な制御情報を報知するための情報であり、セル全体で報知されている。
【０１２４】
図１３には、第１のネットワークの基地局１０２から送信される報知情報の一例が示されている。図１３に示すように、報知情報には、第１のネットワークからのセル選択の基準を示す優先度の情報が含まれている。この優先度は、ＲＡＴごとに設定されている。例えば、図１３（ａ）では、ＬＴＥの優先度が高い例が示されており、また、図１３（ｂ）では、WiMAXの優先度が高い例が示されている。したがって、図１３（ａ）のような報知情報を受け取った場合には、ＬＴＥのセルを優先的に選択するような制御が行われ、図１３（ｂ）のような報知情報を受け取った場合には、WiMAXのセルを優先的に選択するような制御が行われることになる。
【０１２５】
第１信号測定部１０４は、第１移動制御設定部１０５または第２移動制御設定部１０８から設定情報を受け取って、その設定に従って第１のネットワークからの信号の測定を行う。また、第２信号測定部１０７は、第１移動制御設定部１０５または第２移動制御設定部１０８から設定情報を受け取って、その設定に従って第２のネットワークからの信号の測定を行う。基本的に、端末は現在待ちうけを行っているネットワークで送信されている報知情報を用いて制御を行うため、第１のネットワークにてアイドル状態となっている場合には、第１移動制御設定部１０５からの指示で第１信号測定部１０４と第２信号測定部１０７は測定を行い、第２のネットワークにてアイドル状態となっている場合には、第２移動制御設定部１０８からの指示で第１信号測定部１０４と第２信号測定部１０７は測定を行う。
【０１２６】
第１移動制御設定部１０５は、第１信号受信部１０３から受け取った報知情報に基づいて、第１のネットワークでのアイドル時のセル選択動作の制御を行う。具体的には、アイドル時のセル選択動作を決定し、セル選択の決定を行う。この第１移動制御設定部１０５は、決定結果に基づいて、第１信号測定部１０４や第２信号測定部１０７への測定指示を行い、また、本発明の特徴である測定・セル選択の妥当性判断の基準や測定の結果を移動制御監視部１１１に通知する。第１移動制御設定部１０５は、第２ネットワークへの移動が決定すると、その情報を第２移動制御設定部１０８および移動制御監視部１１１へ通知する。さらに、第１移動制御設定部１０５は、セル選択の妥当性判断の結果などの通知を移動制御監視部１１１から受け取った場合には、第１のネットワークまたは第２のネットワークに報告するためのメッセージを作成し、第１信号送信部１１２または第２信号送信部１１３へ出力する。また、第１移動制御設定部１０５は、第１ネットワークに対して呼接続、移動制御などを行うためのメッセージ作成、処理の機能も持っている。
【０１２７】
第２移動制御設定部１０８は、第２信号受信部１０６から受け取った報知情報に基づいて、第２のネットワークでのアイドル時のセル選択動作の制御を行う。具体的には、アイドル時のセル選択動作を決定し、セル選択の決定を行う。この第２移動制御設定部１０８は、決定結果に基づいて、第１信号測定部１０４や第２信号測定部１０７への測定指示を行う。第２移動制御設定部１０８は、第１ネットワークへの移動が決定すると、その情報を第１移動制御設定部１０５および移動制御監視部１１１へ通知する。また、第２移動制御設定部１０８は、第２ネットワークに対して呼接続、移動制御などを行うためのメッセージ作成、処理の機能も持っている。
【０１２８】
ここで、セル選択動作の制御について、より詳細に説明する。上述のように、セル選択の基準を示すセル選択基準情報には、優先度情報が含まれている。この優先度情報は、どのシステムを優先すべきかを示す情報である。例えば、二つのシステムＡとＢがあり、システムＡの方が優先度が高い場合には、端末装置１０１はできるだけシステムＡを検出、選択するように処理を行う。また、セル選択基準情報には、他システムを選ぶ最低受信レベルの情報が含まれる。他システムの測定結果が、この最低受信レベルを満たしていれば、端末装置１０１はこのセルを選択できる。
【０１２９】
セル選択基準情報には、他システムの測定を開始する現セルの受信レベル（測定開始受信レベル）の情報が含まれる。現セルの受信レベルが良く、そのシステムの優先度が高い場合には、他システムを測らないようにすることで端末装置１０１の電力消費を低減することができる。一方、現セルの受信レベルが悪い場合、またはそのシステムの優先度が低い場合には、多システムを測るようになる。この測定開始受信レベルは、他システムの測定を開始するための閾値（S Searchともよばれる）であり、システム毎に設定されるのが一般的である。また、セル選択基準情報には、測定方法情報（Measurement quantityと呼ばれる）が含まれる。セルの品質判断方法は複数あるため、この測定方法情報によって、どの方法を用いるかが通知される。上記のようなセル選択基準情報を用いて、端末装置１０１はどのシステムを選択するかを決定する。
【０１３０】
受信コンバーター部１０９は、第１信号受信部１０３で受信した信号が第２移動制御設定部１０８で使用するものである場合には、その信号のフォーマットを変換する処理を行い、また、第２信号受信部１０６で受信した信号が第１移動制御設定部１０５で使用するものである場合には、その信号のフォーマットを変換する処理を行う。
【０１３１】
移動制御監視部１１１は、測定やセル選択が妥当であるか否かの判断を行う。ここで、妥当性の判断について、具体的な例をあげて詳細に説明する。測定の妥当性の判断は、端末装置１０１が測定を行った結果、他システムを特定時間内に検出できたか否かを判断する。他システムを検出できなかった場合には、第１のネットワークの基地局１０２へ報告を行う。また、セル選択の妥当性の判断は、端末装置１０１が異システム間のセル選択を特定時間以内に何回行ったかに基づいて行われる。セル選択の回数が所定の閾値を超えた場合には、第１のネットワークの基地局１０２へ報告を行い、所定の閾値以下であった場合には、第１のネットワークの基地局１０２への報告を行わない。
【０１３２】
送信コンバーター部１１０は、第１移動制御設定部１０５で生成したメッセージが第２信号送信部１１３から送信するべきものである場合には、そのメッセージのフォーマットを変換する処理を行い、また、第２移動制御設定部１０８で生成したメッセージが第１信号送信部１１２から送信するべきものである場合には、そのメッセージのフォーマットを変換する処理を行う。
【０１３３】
第１信号送信部１１２は、第１のネットワークの基地局１０２へメッセージを送信し、また、第２信号送信部１１３は、第２のネットワークの基地局１０２へメッセージを送信する。
【０１３４】
続いて、第１および第２のネットワークの基地局１０２の構成について説明する。図１２に示すように、第１および第２のネットワークの基地局１０２は、セル選択に関する情報を端末装置１０１との間で送受信する送受信部１１４を備えている。
【０１３５】
以上のように構成された本実施の形態の通信システム１００について、図１４を用いてその動作を説明する。ここでは、第１のネットワークにおけるアイドル時の端末装置１０１のセル選択の動作を説明する。
【０１３６】
図１４は、本実施の形態のセル選択（セルリセレクションとも呼ばれる）の制御の流れを示すフロー図である。まず、端末装置１０１は、現在待ち受けを行っているシステム（ここでは第１のネットワーク）から報知情報を受信する（Ｓ１００）。この報知情報は、第１信号受信部１０３から第１移動制御設定部１０５へ送られる。このようにして、端末装置１０１は、アイドル状態のセル選択に使われる情報（異システムの測定の妥当性とセル選択の動作の妥当性を判断するための情報）を取得する。
【０１３７】
端末装置１０１は、第１のネットワークから受け取った報知情報に基づいて、セル選択の基準にする情報（セル選択基準情報）を決定する（Ｓ１０１）。この処理は、第１移動制御設定部１０５で実行される。このセル選択基準情報（セル選択のための情報）の中には、測定のための情報が含まれており、第１移動制御設定部１０５は、第１信号測定部１０４や第２信号測定部１０７に対して測定の指示を行う。また、第１移動制御設定部１０５は、移動制御監視部１１１に対して異システムの測定の妥当性とセル選択の動作の妥当性を判断するための基準を通知する。
【０１３８】
端末装置１０１は、他システムの通信システムを測定や選択を行う際に、その測定や選択が妥当か否かを判断するための基準を受信する（Ｓ１０２）。本実施の形態では、報知情報を用いて、これらの基準が設定される。なお、これらの基準は、報知情報を使わず個別に（端末装置１０１ごとに）基準の設定が行われてもよい。この処理（異システムの測定の妥当性とセル選択の動作の妥当性を判断するための基準を設定する処理）は、移動制御監視部１１１で行われる。
【０１３９】
端末装置１０１では、上記のようにして設定した基準（決定した測定対象システム、測定方法など）に基づいて、第１と第２の通信システムの測定が行われる（Ｓ１０３）。具体的な測定対象システム決定の動作としては、端末装置１０１が現在選択しているシステムより優先度の高いシステムが存在する場合には、他のシステム測定を行う。また、現在選択しているシステムが一番優先度が高くても、現在のシステムの品質が悪い場合には他のシステムを探すなどの動作を行う。このような測定の処理は、上記のステップで設定されたとおりに、第１信号測定部１０４や第２信号測定部１０７において行われる。この測定結果は、随時、第１移動制御設定部１０５に出力されて、第１移動制御設定部１０５でセル選択処理を行うのに使用される。
【０１４０】
つぎに、端末装置１０１は、他システムの通信システムの測定が妥当か否かの判断を行う（Ｓ１０４）。この判断は、移動制御監視部１１１において、第１移動制御設定部１０５からの応答に基づいて行なわれる。具体的には、第２信号測定部１０７に対して他システムの測定を行わせているにもかかわらず、第２信号測定部１０７からセルの検出が通知されない場合には、測定が妥当でないと判断される。
【０１４１】
妥当でないと判断された場合には、第１移動制御設定部１０５に対して通知し、第１移動制御設定部１０５が報告のメッセージを作成する。この作成された報告メッセージは、第１信号送信部１１２に出力され、その後、第１のネットワークに送信される（Ｓ１０５）。このようにして、端末装置１０１は第１の通信システムに対して報告を行う。
【０１４２】
妥当であると判断された場合には、第２の通信システムを選択する基準を満たすか否かの判断が行われる（Ｓ１０６）。具体的には、上述の第１と第２の通信システムの測定を行った結果、現在選択しているシステム以外を選択する条件を満たすか否かの判断が行われる。この判断は、第１移動制御設定部１０５において、通常のアイドル時のセル選択動作の一環として行われる。その結果、第２の通信システムをセル選択する基準を満たさないと判断された場合には、再度、第１と第２の通信システムの測定を行う（Ｓ１０３）。
【０１４３】
一方、第２の通信システムをセル選択する基準を満たすと判断された場合には、他のシステム（ここでは第２の通信システム）を選択する（Ｓ１０７）。この場合、第２の通信システムをセル選択する基準を満たすとの判断結果が、第２移動制御設定部１０８および移動制御監視部１１１に通知される。
【０１４４】
つぎに、端末装置１０１では、他システムへのセル選択が妥当か否かの判断が行われる（Ｓ１０８）。この判断は、移動制御設定部で行われる。例えば、異システムへのセル選択が所定の時間内に所定の回数以上行われたか否かなどが判定される。その結果、所定の回数以上行われた場合には、セル選択が妥当でないと判断され、所定回数以上行われなかった場合には、セル選択が妥当であると判断される。この場合、移動制御設定部は、継続的にセル選択の回数をカウントし、異システムへセル選択したとしてもそのカウントは保持される。また、セル選択の回数、測定の妥当性を判断するルールは、第１移動制御設定部１０５からのみ設定される。
【０１４５】
上記のような判断の結果、セル選択が妥当でないと判断された場合には、第１の通信システムに対して報告を行う（Ｓ１０５）。一方、セル選択が妥当であると判断された場合には、他のシステム（ここでは第２の通信システム）で報知情報の受信などの処理を行い、その報知情報の値を用いてセル選択などのアイドル時の動作を行う（Ｓ１０９）。すなわち、端末装置１０１は、第２の通信システムでのアイドル状態に移行する。アイドル状態での待ち受け動作の処理（第２の通信システムからの報知情報の受信など）は、第２移動制御設定部１０８で行われる。
【０１４６】
このような本発明の第３の実施の形態の通信システムによれば、第１のネットワークの基地局１０２は、端末装置１０１から送信される報告メッセージによって、第１のネットワークにおけるセル選択基準情報（優先度など）の妥当性を把握することができる。これにより、第１のネットワークにおけるセル選択基準情報（優先度など）の妥当性を考慮した適切な通信制御が可能になる。
【０１４７】
従来の通信システムでは、端末装置１０１が異システム間のセル選択を行う場合に、報知情報の不整合に起因する問題が生じることがある。例えば、３ＧＰＰのネットワークからＮｏｎ−３ＧＰＰのネットワーク等への異システム間セル選択では、オペレーターが管理している３ＧＰＰ内での報知情報と、異システムで送信されている報知情報との間で完全に整合が取れていないケースがある。具体的な例としては、３ＧＰＰのシステムではＮｏｎ−３ＧＰＰのシステムを優先するように制御が行われており、Ｎｏｎ−３ＧＰＰのシステムでは３ＧＰＰのシステムを優先するように設定がされている場合などが挙げられる。このような場合に、従来の通信システムでは、端末装置１０１が３ＧＰＰのシステムとＮｏｎ−３ＧＰＰのシステムの間を行ったり来たりすることとなってしまう。
【０１４８】
また、従来の通信システムでは、上記のような報知情報の不整合が無かったとしても、不必要にＮｏｎ−３ＧＰＰの測定が優先されている場合がある。例えば、図４の例では、Ｎｏｎ−３ＧＰＰが３ＧＰＰのエリアの一部のみに存在する。このような状況で、Ｎｏｎ−３ＧＰＰを優先するように設定されていると、端末装置１０１は、Ｎｏｎ−３ＧＰＰのエリアの中にいないにもかかわらず、Ｎｏｎ−３ＧＰＰへの測定を続けることになってしまう。その結果、端末装置１０１の電力消費が増大してしまうという問題があった。
【０１４９】
本実施の形態の通信システム１００では、端末装置１０１において、測定の妥当性・セル選択の妥当性などを評価し、妥当でない場合にはネットワークに報告を行う。これにより、ネットワークが、その後、状況に応じて設定情報を更新することが可能になる。
【０１５０】
なお、本実施の形態では、異システムの測定の妥当性とセル選択の動作の妥当性の両方を端末装置１０１が検出する場合を例示したが、本発明の範囲はこれに限定されるものではなく、どちらか片方の妥当性の判断を行っても良い。
【０１５１】
また、本実施の形態では、報知情報を用いて異システムの測定の妥当性とセル選択の動作の妥当性の判断基準を通知する例について説明したが、本発明の範囲はこれに限定されるものではない。例えば、端末装置１０１がアクティブ状態にある際に、それらの情報を個別の制御情報として通知しておくことも可能である。このような処理により、特定の端末装置１０１のみにこの処理を実施させることも可能である。
【０１５２】
また、本実施の形態では、異システムの測定の妥当性とセル選択の動作の妥当性の判断基準を超えた際に報告する例について説明したが、端末装置１０１が次にアクティブ状態になった際にその結果を報告するようにしても良い。また、判断基準として二段階の閾値を設けて、下の閾値を超えただけのときには、次にアクティブ状態になった際に報告し、上の閾値を超えた場合には、すぐに報告を行うなどの処理も可能である。
【０１５３】
また、本実施の形態では、第１のシステムから第２のシステムにセル選択を行う場合についてのみ例示したが、第２のシステムから第１のシステムにセル選択する際にも、セル選択をカウントしてよいのはもちろんである。
【０１５４】
また、本実施の形態では、第１のシステムが測定の妥当性やセル選択の動作の妥当性の判断を管理し、第２のシステムでは独自の管理を行わない例をしめした。しかしながら、第２のシステムも測定の妥当性やセル選択の動作の妥当性の判断を独自に持つことも可能である。
【０１５５】
また、本実施の形態において、第１のシステム内でセル移動を行った際の動作としては複数考えられる。一つ目の手段としては、第１のシステム内でセル移動には新しい報知情報が受信されるため、過去のセル選択の回数などの情報をリセットすることである。二つ目の手段としては、第１のシステム内でセル移動して報知情報を新しいセルから受信した際に、以前の報知情報と確認し、妥当性の判断に対する設定が異なっていればリセットし、同じ場合にはリセットしないことである。また、三つ目の手段としては、一つ目または二つ目の手段の動作に加えて、過去のセル選択の回数といった継続して使用できる情報はリセットせずに、端末の測定の妥当性などの情報に関してはリセットするなどのように、妥当性を判断する方法によって変えることである。
【０１５６】
（第４の実施の形態）
次に、本発明の第４の実施の形態の通信システムについて、図１５〜図１７を用いて説明する。第３の実施の形態では、端末装置が第２の通信システムへのセル選択時の動作に特徴があるのに対して、本実施の形態では、第２の通信システムへのセル選択後の動作に特徴がある。以下、この特徴（第３の実施の形態と相違する点）を中心に、本実施の形態の通信システムを説明する。
【０１５７】
まず、図１５を参照して、本実施の形態の通信システム２００で用いられる端末装置２０１と基地局２０２の構成について説明する。ここでは、第３の実施の形態と相違する点を説明する。すなわち、ここで特に言及しない限り、本実施の形態の通信システム２００の構成は、第３の実施の形態と同様である。
【０１５８】
図１５に示すように、端末装置２０１は、第１信号受信部２０３と第１信号測定部２０４と第１移動制御設定部２０５を備えている。また、端末装置２０１は、第２信号受信部２０６と第２信号測定部２０７と第２移動制御設定部２０８を備えている。さらに、端末装置２０１は、受信コンバーター部２０９と送信コンバーター部２１０と移動制御監視部２１１と第１信号送信部２１２と第２信号送信部２１３を備えている。また、第１および第２のネットワークの基地局２０２は、送受信部２１４を備えている。
【０１５９】
本実施の形態の第１移動制御設定部２０５は、第２のネットワークにおいて、第２信号受信部２０６から受け取った報知情報を移動制御監視部２１１へ送る機能を有している。そして、移動制御監視部２１１は、第１移動制御設定部２０５から受け取った報知情報に基づいて、第２のネットワークへのセル選択の妥当性を判断する機能を有している。
【０１６０】
ここで、第２のネットワークへのセル選択の妥当性の判断について、図１６を用いて説明する。図１６は、第１のネットワーク（例えばＬＴＥ）と第２のネットワーク（例えばWiMAX）の報知情報の一例を示す図である。
【０１６１】
図１６（ａ）は、第１のネットワーク（ＬＴＥ）のシステムが、セル選択先のシステムの報知情報に含まれていない例である。このような場合には、端末装置２０１は第２のネットワーク（WiMAX）に第１のネットワーク（ＬＴＥ）から移動した後に、もとのネットワーク（ＬＴＥ）に戻れなくなってしまう。このような場合、第２の通信システムから第１の通信システムにセル選択がしにくくなっており、第２のネットワークへのセル選択が妥当でないと判断される。
【０１６２】
図１６（ｂ）は、第１のネットワーク（ＬＴＥ）と第２のネットワーク（WiMAX）とで報知情報の優先度がそろっておらず、第１のネットワーク（ＬＴＥ）と第２のネットワーク（WiMAX）との行き来（ping-pong）が起こりやすい例である。この場合、第１のネットワーク（ＬＴＥ）では第２のネットワーク（WiMAX）が優先され、第２のネットワーク（WiMAX）に行きやすくなっている。逆に、第２のネットワーク（WiMAX）では第１のネットワーク（ＬＴＥ）が優先され、第１のネットワーク（ＬＴＥ）に戻りやすくなっている。このような場合、第１のネットワークと第２のネットワークとの行き来（ping-pong）が起こりやすくなっており、第２のネットワークへのセル選択が妥当でないと判断される。
【０１６３】
上記のような条件を検出した場合、すなわち、第２のネットワークへのセル選択が妥当でないと判断された場合には、端末装置２０１から第１のネットワークへ報告メッセージを送信する。
【０１６４】
なお、図１６では、報知情報に含まれる優先度が適切でない場合を示したが、本発明の範囲はこれに限定されるものではなく、それ以外の情報が適切でない場合も同様である。例えば、第２のネットワークでＭＢＭＳが提供されているか否かの情報も、これに該当する。つまり、第２のネットワークでＭＢＭＳが提供されていない場合には、第２のネットワークへのセル選択が妥当でないと判断される。
【０１６５】
以上のように構成された本実施の形態の通信システム２００について、図１７を用いてその動作を説明する。ここでは、第２のネットワークへのセル選択後の端末装置２０１の動作を中心に説明する。
【０１６６】
図１７は、本実施の形態のセル選択の制御の流れを示すフロー図である。まず、端末装置２０１は、現在待ち受けを行っているシステム（ここでは第１のネットワーク）から報知情報を受信する（Ｓ２００）。
【０１６７】
つぎに、端末装置２０１は、第１のネットワークからの報知情報に基づいて、第２の通信システムでアイドル状態の端末装置２０１のための情報（第２のネットワークからの報知情報）が妥当か否かを判断するための情報を決定する（Ｓ２０１）。つまり、第３の実施の形態と比較すると、第２の通信システムに対する測定やセル選択が妥当かを判断する情報ではなく、端末装置２０１が第２の通信システムのアイドル端末装置２０１のための情報が妥当か否かを判断する情報を扱う点が異なる。
【０１６８】
つぎに、端末装置２０１では、第１のネットワークからの報知情報に基づいて設定した基準（決定した測定対象システム、測定方法など）に基づいて、第１と第２の通信システムの測定が行われる（Ｓ２０２）。
【０１６９】
そして、第２の通信システムを選択する基準を満たすか否かの判断が行われる（Ｓ２０３）。その結果、第２の通信システムをセル選択する基準を満たさないと判断された場合には、再度、第１と第２の通信システムの測定を行う（Ｓ２０２）。一方、第２の通信システムをセル選択する基準を満たすと判断された場合には、他のシステム（ここでは第２の通信システム）を選択する（Ｓ２０４）。
【０１７０】
その後、端末装置２０１では、第２の通信システムの報知情報に含まれるセル選択のための情報（セル選択基準情報）を確認し、そのセル選択基準情報が妥当であるか否かの判断が行われる（Ｓ２０５）。この場合、ステップ２０１で設定した情報に基づいて、第２の通信システムでアイドル状態の端末装置２０１のための情報が妥当か否かが判断される（図１６参照）。  
【０１７１】
その結果、第２のネットワークへのセル選択が妥当であると判断された場合には、他のシステム（ここでは第２の通信システム）で報知情報の受信などの処理を行い、その報知情報の値を用いてセル選択などのアイドル時の動作を行う（Ｓ２０６）。一方、第２のネットワークへのセル選択が妥当でないと判断された場合には、第１の通信システムに対して報告を行う（Ｓ２０７）。
【０１７２】
このような本発明の第４の実施の形態の通信システム２００によれば、第１のネットワークの基地局２０２は、端末装置２０１から送信される報告メッセージによって、第２のネットワークにおけるセル選択基準情報（優先度など）の妥当性を把握することができる。これにより、第１のネットワークの基地局２０２において、第２のネットワークにおけるセル選択基準情報（優先度など）の妥当性を考慮した適切な通信制御が可能になる。
【０１７３】
従来の通信システムでは、第２の通信システムのセル選択を行った後、端末装置２０１は、その通信システムの指示の通り動く。しかしながら、第２の通信システムの設定が第１の通信システムを管理しているオペレーターの希望と異なるようなケースも考えられる。具体的には、図１６に示すように、第２の通信システムでは第１の通信システムの情報がながされておらず、第２の通信システムから第１の通信システムにセル選択がしにくくなっている場合や、第２の通信システムでは第１の通信システムで提供されていたサービス（たとえばＭＢＭＳ）が提供されていない場合などがある。
【０１７４】
そのような場合であっても、本実施の形態の通信システム２００では、第１の通信システムが、端末装置２０１から送信される報告メッセージによって、第２の通信システムにおけるセル選択基準情報の妥当性を把握することができ、第１の通信システムにおいて、第２の通信システムにおけるセル選択基準情報の妥当性を考慮した適切な通信制御が可能になる。
【０１７５】
（第５の実施の形態）
次に、本発明の第５の実施の形態の通信システムについて、図１８および図１９を用いて説明する。第３の実施の形態では、報知情報に基づいて端末装置がセル選択を行う際の基準を設定するのに対して、本実施の形態では、報知情報を用いずに個別に（端末装置ごとに）基準の設定が行われる。これにより、端末装置ごとに異なる周波数やシステムを選ばせることが可能になる。
【０１７６】
このような個別の基準の情報の代表的なものとして、優先度情報が用いられる。個別の優先度情報は、端末装置がアクティブ状態になった後、アイドル状態に移る際に各端末装置に通知される。また、この個別の優先度情報には、有効期間の情報を含むことが可能である。以下、個別に割り当てられた優先度（異システムに移動した際の優先度）の情報を使用する場合を例にして、本実施の形態の通信システムを説明する。
【０１７７】
まず、図１８を参照して、本実施の形態の通信システム３００で用いられる端末装置３０１と基地局３０２の構成について説明する。ここでは、第３の実施の形態と相違する点を説明する。すなわち、ここで特に言及しない限り、本実施の形態の通信システム３００の構成は、第３の実施の形態と同様である。
【０１７８】
図１８に示すように、端末装置３０１は、第１信号受信部３０３と第１信号測定部３０４と第１移動制御設定部３０５を備えている。また、端末装置３０１は、第２信号受信部３０６と第２信号測定部３０７と第２移動制御設定部３０８を備えている。さらに、端末装置３０１は、受信コンバーター部３０９と送信コンバーター部３１０とタイマー監視部３１１と第１信号送信部３１２と第２信号送信部３１３を備えている。また、第１および第２のネットワークの基地局３０２は、送受信部３１４を備えている。
【０１７９】
本実施の形態の第１移動制御設定部３０５は、第１信号受信部３０３から受け取った優先度情報の有効期限（タイマーの状態）の情報を、異システムにセル選択した際にタイマー監視部３１１に通知する。そして、タイマー監視部３１１は、異システムに端末装置３０１がアイドル状態としている場合にタイマーを管理する機能を有している。具体的には、タイマーが満了した際に、第１移動制御設定部３０５に通知を行う機能を有している。すなわち、第１のネットワークにてアイドル状態にある場合にはタイマーは第１移動制御設定部３０５で管理されているが、第２のネットワークにセル選択を行った場合にはタイマー監視部３１１にその管理が移されることになる。
【０１８０】
以上のように構成された本実施の形態の通信システム３００について、図１９を用いてその動作を説明する。ここでは、第２のネットワークへのセル選択後のタイマー制御の動作を中心に説明する。
【０１８１】
図１９は、本実施の形態のタイマー制御の動作の流れを示すフロー図である。まず、端末装置３０１は、第１の通信システムから個別のセル選択基準情報を受け取る（Ｓ３００）。ここでは、優先度の情報に加えて有効期限の情報も受け取る。そして、第１のシステムでアイドル状態に移行する（Ｓ３０１）。
【０１８２】
その後、端末装置３０１は、現在待ち受けを行っているシステム（ここでは第１のネットワーク）から報知情報を受信し（Ｓ３０２）、他システムの通信システムを測定や選択を行う際に、その測定や選択が妥当か否かを判断するための基準を受信する（Ｓ３０３）。
【０１８３】
そして、端末装置３０１は、第１のネットワークから受け取った報知情報に基づいて、セル選択の基準にする情報（セル選択基準情報）を決定し（Ｓ３０４）、上記のようにして設定した基準（決定した測定対象システム、測定方法など）に基づいて、第１と第２の通信システムの測定が行われる（Ｓ３０５）。
【０１８４】
そして、第２の通信システムを選択する基準を満たすか否かの判断が行われる（Ｓ３０６）。その結果、第２の通信システムをセル選択する基準を満たさないと判断された場合には、再度、第１と第２の通信システムの測定を行う（Ｓ３０５）。一方、第２の通信システムをセル選択する基準を満たすと判断された場合には、他のシステム（ここでは第２の通信システム）を選択する。
【０１８５】
その後、端末装置３０１では、ステップ３００で第１の通信システムから通知された優先度の有効期限が満了しているか否かの判断が行われ（Ｓ３０７）、有効期限が満了していないと判断された場合には、他のシステム（ここでは第２の通信システム）で報知情報の受信などの処理を行い、その報知情報の値を用いてセル選択などのアイドル時の動作を行う（Ｓ３０８）。一方、有効期限が満了していると判断された場合には、第１の通信システムに対して報告を行う（Ｓ３０９）。
【０１８６】
このような本発明の第５の実施の形態の通信システム３００によれば、第１のネットワークの基地局３０２は、端末装置３０１から送信される報告メッセージによって、第２のネットワークへの一時的なセル選択の期限が経過したことを把握することができる。これにより、第１のネットワークの基地局３０２において、第２のネットワークへの一時的なセル選択の期限経過後の適切な通信制御が可能になる。
【０１８７】
従来の通信システムでは、端末装置３０１が第２の通信システムを選択した後、第２の通信システムの情報に基づいてセル選択処理が行われる。ところが、有効期間のある優先度情報を用いて第２の通信システムに移った場合には、その有効期限が満了した後には、他の第１の通信システム、または他のシステムに移る方が望ましいことが考えられる。しかし、従来の通信システムでは、このような状況に対する対応策が何ら考慮されていなかった。
【０１８８】
本実施の形態の通信システム３００によれば、端末装置３０１は有効期限の満了時に、元のネットワーク（個別のセル選択情報を通知した第１のネットワーク）に対して、有効期限が満了したことを通知する。
【０１８９】
このような動作により、異システム（第２の通信システム）に端末装置３０１が移動した場合であっても、元のシステム（第１の通信システム）から通知された優先度情報の有効期限が切れた際に、端末装置３０１が元のシステムにアクセスすることで、再度適切なセル選択の情報を受信する、または移動するなどの処理が可能となる。
【０１９０】
端末装置３０１から情報を通知された第１のシステムでは、端末装置３０１に対して、どこのシステムに接続するべきかの通知、または再度優先度情報を送信することが可能である。
【０１９１】
例えば、端末装置３０１に対して、どこのシステムに接続するべきかの通知を行った場合には、端末装置３０１は通知されたシステムが検出可能で、待ち受けを行う条件を満たしているかを確認する。そして、条件を満たしている場合にはそのシステムに移動することを決定する。
【０１９２】
また、端末装置３０１に対して、再度優先度情報を送信した場合には、端末装置３０１はその優先度に基づいて再度どのシステムに接続するべきかを確認する。具体的には、有効期限が切れる前に設定されていた情報がWiMAXを優先的にするようになっていた場合、ＬＴＥにて待ち受けが可能であるにもかかわらずWiMAXに移動したケースを考える。この場合、今回通知された優先度がＬＴＥを優先するようになっているときには、ＬＴＥに対して待ち受けするようにセル選択がこの時点で行われる。
【０１９３】
以上の説明では、端末装置３０１がタイマー満了時に元のシステムに報告を行う動作を例示したが、本発明の範囲はこれに限定されるものではない。例えば、端末装置３０１が、タイマー満了時に第１の通信システムで送信されているセル選択情報を用いて、再度セル選択を実行してもよい。これにより、端末装置３０１の電力消費を低減することが可能になる。
【０１９４】
また、端末装置３０１がどのシステムに接続するべきかの判断を行いやすくするために、どのシステムに接続するべきか、または優先度情報以外の情報としてセル情報等の報知情報で送られている情報を送ってもよい。
【０１９５】
以上、本発明の更なる実施の形態を例示により説明したが、本発明の範囲はこれらに限定されるものではなく、請求項に記載された範囲内において目的に応じて変更・変形することが可能である。
【産業上の利用可能性】
【０１９６】
以上のように、本発明にかかる通信システムは、通信プロトコルが異なるネットワーク間でハンドオーバーが行われたときに通信品質が低下するのを抑えることができるという効果を有し、３ＧＰＰネットワークとＮｏｎ−３ＧＰＰネットワークとのハンドオーバー等に用いられ、有用である。
【図面の簡単な説明】
【０１９７】
【図１】第１の実施の形態における通信システムの端末装置と基地局のブロック図
【図２】３ＧＰＰネットワークとＮｏｎ−３ＧＰＰネットワークの通信エリアの説明図
【図３】３ＧＰＰネットワークの通信エリア内の携帯端末が３ＧＰＰネットワークにアクセスする様子を示す説明図
【図４】端末装置がＮｏｎ−３ＧＰＰネットワークの通信エリア内に移動した状態の説明図
【図５】Ｎｏｎ−３ＧＰＰネットワークの通信エリア内の携帯端末がＮｏｎ−３ＧＰＰネットワークにアクセスする様子を示す説明図
【図６】第１の実施の形態における通信システムの動作の流れを示す図
【図７】第２の実施の形態における通信システムの端末装置と基地局のブロック図
【図８】第２の実施の形態における通信システムの動作の流れを示す図
【図９】他の端末装置に対してＱｏＳ測定を要求する動作の流れを示す図
【図１０】通信品質情報の一例を示す図
【図１１】複数のＲＡＴのカバレッジを示す説明図
【図１２】第３の実施の形態における通信システムの端末装置と基地局のブロック図
【図１３】第１のネットワークにおける報知情報の一例を示す図
【図１４】第３の実施の形態における通信システムの動作の流れを示すフロー図
【図１５】第４の実施の形態における通信システムの端末装置と基地局のブロック図
【図１６】第１のネットワークと第２のネットワークにおける報知情報の一例を示す図
【図１７】第４の実施の形態における通信システムの動作の流れを示すフロー図
【図１８】第５の実施の形態における通信システムの端末装置と基地局のブロック図
【図１９】第５の実施の形態における通信システムの動作の流れを示すフロー図
【符号の説明】
【０１９８】
１  通信システム
２  端末装置
３  ３ＧＰＰネットワークの基地局（ｅＮＢ）
４  インターフェース（Ｐ−ＧＷ）
５  Ｎｏｎ−３ＧＰＰネットワークの基地局（ＡＲ）
６  インターフェース（ｅＰＤＧ）
７  第１信号受信部
８  第２信号受信部
９  ＱｏＳ設定部
１０  第１移動制御部
１１  受信コンバータ部
１２  第２移動制御部
１３  ＱｏＳ測定部
１４  ＱｏＳ閾値設定部
１５  第１信号送信部
１６  送信コンバータ部
１７  第２信号送信部
１８  送受信部
１９  ハンドオーバー制御部
１００  通信システム
１０１  端末装置
１０２  基地局
１０３  第１信号受信部
１０４  第１信号測定部
１０５  第１移動制御設定部
１０６  第２信号受信部
１０７  第２信号測定部
１０８  第２移動制御設定部
１０９  受信コンバーター部
１１０  送信コンバーター部
１１１  移動制御監視部
１１２  第１信号送信部
１１３  第２信号送信部
１１４  送受信部
２００  通信システム
２０１  端末装置
２０２  基地局
２０３  第１信号受信部
２０４  第１信号測定部
２０５  第１移動制御設定部
２０６  第２信号受信部
２０７  第２信号測定部
２０８  第２移動制御設定部
２０９  受信コンバーター部
２１０  送信コンバーター部
２１１  移動制御監視部
２１２  第１信号送信部
２１３  第２信号送信部
２１４  送受信部
３００  通信システム
３０１  端末装置
３０２  基地局
３０３  第１信号受信部
３０４  第１信号測定部
３０５  第１移動制御設定部
３０６  第２信号受信部
３０７  第２信号測定部
３０８  第２移動制御設定部
３０９  受信コンバーター部
３１０  送信コンバーター部
３１１  タイマー監視部
３１２  第１信号送信部
３１３  第２信号送信部
３１４  送受信部
【図１】
0005042104.tif 000002
【図２】
0005042104.tif 000003
【図３】
0005042104.tif 000004
【図４】
0005042104.tif 000005
【図５】
0005042104.tif 000006
【図６】
0005042104.tif 000007
【図７】
0005042104.tif 000008
【図８】
0005042104.tif 000009
【図９】
0005042104.tif 000010
【図１０】
0005042104.tif 000011
【図１１】
0005042104.tif 000012
【図１２】
0005042104.tif 000013
【図１３】
0005042104.tif 000014
【図１４】
0005042104.tif 000015
【図１５】
0005042104.tif 000016
【図１６】
0005042104.tif 000017
【図１７】
0005042104.tif 000018
【図１８】
0005042104.tif 000019
【図１９】
0005042104.tif 000020